(57)【要約】  本開示は無線通信システムにおける電子装置及び無線通信方法に関する。本開示による電子装置は、電子装置とユーザー装置との間のリンク品質を示す第１のリンク情報、電子装置と基地局との間のリンク品質を示す第２のリンク情報、サービングセル受信電力変化率情報及び隣接セル受信電力変化率情報が含まれるシーン識別情報を取得し、シーン情報をシーン識別情報に基づいて確定してユーザー装置に通知し、ユーザー装置を支援して中継再選択プロセスを実行するか、又は、電子装置を支援して中継選択プロセスを実行するように配置されている１つ又は複数の処理回路を含む。本開示による電子装置及び無線通信方法によれば、リモートユーザー装置が中継再選択をよりよく実行するか、又は、電子装置が中継選択をよりよく実行するように、リモートユーザー装置に電子装置が位置するシーンを知らせることができ、システムのパフォーマンスを向上させ、Ｘ２インターフェースのオーバーヘッドが低減されている。【選択図】図２
2018533311.tif 000002
【特許請求の範囲】
【請求項１】
無線通信システムにおける電子装置であって、
１つ又は複数の処理回路を含み、
前記処理回路は、
前記電子装置と前記無線通信システムにおけるユーザー装置との間のリンク品質を示す第１のリンク情報、前記電子装置と前記無線通信システムにおける前記電子装置へサービスを提供するサービングセルにおける基地局との間のリンク品質を示す第２のリンク情報、サービングセル受信電力変化率情報及び隣接セル受信電力変化率情報が含まれるシーン識別情報を取得し、
前記電子装置が位置するシーンに関するシーン情報を前記シーン識別情報に基づいて確定して前記ユーザー装置に通知し、前記ユーザー装置を支援して中継再選択プロセスを実行するか、又は、前記電子装置を支援して中継選択プロセスを実行する、という動作を実行するように配置されている電子装置。
【請求項２】
前記処理回路は、前記第２のリンク情報が前記電子装置と前記基地局との間のリンク品質が第２の閾値よりも小さいことを指示する場合に、中継再選択トリガー情報を生成して、前記中継再選択プロセスを実行することを前記ユーザー装置に通知する請求項１に記載の電子装置。
【請求項３】
前記処理回路は、前記第１のリンク情報が前記電子装置と前記ユーザー装置との間のリンク品質が第１の閾値より大きいことを指示し、前記第２のリンク情報が前記電子装置と前記基地局との間のリンク品質が第２の閾値より小さいことを指示し、且つ、前記隣接セル受信電力変化率情報が指示する隣接セル受信電力変化率と前記サービングセル受信電力変化率情報が指示するサービングセル受信電力変化率との差が第３の閾値より大きい場合に、前記電子装置が切り替えプロセスを実行しようとしていることを確定する請求項１に記載の電子装置。
【請求項４】
前記処理回路は、さらに、
実行されているＡ３イベントのトリガー時間ＴＴＴの長さを示すＴＴＴ長さ情報、又は、隣接セル受信信号品質情報を取得し、
前記ＴＴＴ長さ情報又は前記隣接セル受信信号品質情報に基づいて、前記ユーザー装置に対して候補目標セルを確定し、
前記候補目標セルのそれぞれにオフセット値を設置して、前記ユーザー装置を支援して前記候補目標セルから前記ユーザー装置へサービスを提供する最終的な目標セルを選択する、
という動作を実行するように配置されている請求項３に記載の電子装置。
【請求項５】
前記ＴＴＴ長さ情報又は前記隣接セル受信信号品質情報に基づいて、候補目標セルのオフセット値を設置する請求項４に記載の電子装置。
【請求項６】
前記第２のリンク情報が前記電子装置と前記基地局との間のリンク品質が第２の閾値より小さいことを指示する場合に、前記処理回路は、さらに、
前記電子装置の速度調整係数を取得して、前記ユーザー装置のヒステリシスパラメータを調整することを前記ユーザー装置に通知するという動作を実行するように配置されている請求項１に記載の電子装置。
【請求項７】
前記処理回路は、さらに、
前記切り替えプロセスを実行し、
前記切り替えプロセスの実行結果を示す切り替え指示情報を生成して、最終的な中継リンク接続を選択することを前記ユーザー装置に通知する、
という動作を実行するように配置されている請求項３に記載の電子装置。
【請求項８】
前記切り替え指示情報が前記切り替えプロセスの実行が失敗したことを指示する場合に、前記処理回路は、さらに、
前記中継再選択プロセスを実行した後、前記ユーザー装置へサービスを提供する最終的な目標セルのセル識別子を取得し、
前記最終的な目標セルが実行されているＡ３イベントを既に引き起こしたトリガー時間ＴＴＴを確定して、前記切り替えプロセスが失敗したこと及び前記最終的な目標セルのセル識別子を前記基地局に通知し、
前記最終的な目標セルが引き起こした実行されているＡ３イベントのトリガー時間ＴＴＴが満了する時に、前記電子装置が前記最終的な目標セルに接続されるように、無線リンク回復プロセスを実行する、
という動作を実行するように配置されている請求項７に記載の電子装置。
【請求項９】
前記処理回路は、前記第１のリンク情報が前記電子装置と前記ユーザー装置との間のリンク品質が第１の閾値より大きいことを指示し、前記第２のリンク情報が前記電子装置と前記基地局との間のリンク品質が第２の閾値より小さいことを指示し、且つ、前記隣接セル受信電力変化率情報が指示する隣接セル受信電力変化率と前記サービングセル受信電力変化率情報が指示するサービングセル受信電力変化率との差が第３の閾値より小さい場合に、前記電子装置が中継選択プロセスを実行しようとしていることを確定する請求項１に記載の電子装置。
【請求項１０】
前記処理回路は、さらに、
前記ユーザー装置が前記中継再選択プロセスを実行した後に得られる目標中継ユーザー装置に関する目標中継情報を取得し、
前記中継選択プロセスを実行する、という動作を実行するように配置され、
前記中継選択プロセスを実行する際に、前記処理回路は、さらに、
前記目標中継情報が指示する前記目標中継ユーザー装置の発見メッセージを優先的に傍受し、
前記目標中継ユーザー装置と前記電子装置との間のリンク品質が所定の閾値より大きいことを確定し、
前記目標中継ユーザー装置と前記電子装置との間の中継接続を確立する、
という動作を実行するように配置されている請求項９に記載の電子装置。
【請求項１１】
前記目標中継ユーザー装置と前記電子装置との間のリンク品質が所定の閾値より大きいことを確定する前に、前記処理回路は、さらに、
前記目標中継情報が指示する前記目標中継ユーザー装置の負荷率が所定の数より小さいことを確定し、前記負荷率が前記目標中継ユーザー装置に現在アクセスしているリモートユーザー装置の数を示す、
という動作を実行するように配置されている請求項１０に記載の電子装置。
【請求項１２】
前記無線通信システムは、ロングタームエボリューションアドバンストＬＴＥ−Ａセルラー通信システムであって、前記電子装置は前記無線通信システムにおける中継ユーザー装置である請求項１から１１のいずれか１項に記載の電子装置。
【請求項１３】
無線通信システムにおける電子装置であって、
１つ又は複数の処理回路を含み、
前記処理回路は、
前記電子装置と前記無線通信システムにおける前記電子装置へ中継サービスを提供する中継ユーザー装置との間のリンク品質を監視し、
前記中継ユーザー装置が位置するシーンに関するシーン情報を取得し、
前記シーン情報に基づいて中継再選択プロセスを実行する、
という動作を実行するように配置されている電子装置。
【請求項１４】
シーン識別情報に基づいて前記シーン情報を確定し、前記シーン識別情報は、前記電子装置と前記中継ユーザー装置との間のリンク品質を示す第１のリンク情報、前記中継ユーザー装置と前記無線通信システムにおける前記電子装置へサービスを提供するサービングセルにおける基地局との間のリンク品質を示す第２のリンク情報、前記中継ユーザー装置が受信したサービングセル受信電力変化率情報及び隣接セル受信電力変化率情報を含む請求項１３に記載の電子装置。
【請求項１５】
前記シーン情報が前記中継ユーザー装置が切り替えプロセスを実行しようとしていることを指示する場合に、前記処理回路は、さらに、
候補目標セルのセル識別子と前記候補目標セルのそれぞれに設置したオフセット値を取得し、
前記オフセット値に基づいて前記候補目標セルから目標中継ユーザー装置を確定する、
という動作を実行するように配置されている請求項１３に記載の電子装置。
【請求項１６】
前記処理回路は、さらに、
前記オフセット値の大きさに従って前記候補目標セルの優先度を設置し、
前記候補目標セルの優先度に従って、前記目標中継ユーザー装置を確定するまでに、前記候補目標セルにおける候補目標中継ユーザー装置に対して前記中継再選択プロセスを実行する、
という動作を実行するように配置されている請求項１５に記載の電子装置。
【請求項１７】
前記中継再選択プロセスを実行する際に、前記処理回路は、さらに、
前記電子装置と前記候補目標セルにおける候補目標中継ユーザー装置との間のリンク品質を示すリンク品質値を取得し、
前記候補目標セルに対応するオフセット値を前記候補目標セルにおける候補目標中継ユーザー装置に対応するリンク品質値に加えて、調整リンク品質値を取得し、
前記調整リンク品質値に基づいて前記中継再選択プロセスを実行する、
という動作を実行するように配置されている請求項１５に記載の電子装置。
【請求項１８】
前記処理回路は、さらに、
前記中継ユーザー装置の速度調整係数を取得し、
前記速度調整係数に基づいてヒステリシスパラメータを調整する、
という動作を実行するように配置されている請求項１３に記載の電子装置。
【請求項１９】
前記電子装置が前記目標中継ユーザー装置と接続を確立した時にタイミングを開始するように配置されているタイマーをさらに含み、
前記処理回路は、さらに、
前記タイマーが満了する時に、前記電子装置と前記目標中継ユーザー装置との間の接続又は前記電子装置と前記中継ユーザー装置との間の接続を切断するための命令を生成する、
という動作を実行するように配置されている請求項１５に記載の電子装置。
【請求項２０】
前記送受信機が前記中継ユーザー装置から前記切り替えプロセスの実行が成功したことを指示する切り替え指示情報を受信した場合に、前記処理回路はさらに、
前記中継ユーザー装置の目標セルのセル識別子を取得し、
前記中継ユーザー装置の目標セル的セル識別子と前記目標中継ユーザー装置のサービングセルのセル識別子を比較し、
比較の結果が異なる場合に、前記電子装置と前記中継ユーザー装置との間の接続を直ちに切断し、
比較の結果が同じである場合に、前記タイマーが満了する前の期間に、
更新された第１のリンク情報を取得し、
更新された第１のリンク情報が、更新された前記電子装置と前記中継ユーザー装置との間のリンク品質が常に所定の閾値より大きいことを指示する場合に、前記タイマーが満了した後前記電子装置と前記目標中継ユーザー装置との間の接続を切断する、
という動作を実行するように配置されている請求項１９に記載の電子装置。
【請求項２１】
前記送受信機が前記中継ユーザー装置から前記切り替えプロセスの実行が失敗したことを指示する切り替え指示情報を受信した場合に、前記処理回路は、さらに、
前記中継ユーザー装置が、前記目標中継ユーザー装置のサービングセルに接続するための無線リンク回復プロセスを実行するように、前記目標中継ユーザー装置のサービングセルのセル識別子を前記中継ユーザー装置に送信することを前記送受信機に指示する、
という動作を実行するように配置されている請求項１９に記載の電子装置。
【請求項２２】
前記シーン情報が、前記中継ユーザー装置が中継選択プロセスを実行しようとしていることを指示する場合に、前記処理回路は、さらに、
前記中継ユーザー装置を支援して前記中継選択プロセスを実行するように、前記中継再選択プロセスを実行した後に得られる目標中継ユーザー装置の目標中継情報を前記中継ユーザー装置に送信することを前記送受信機に指示する、
という動作を実行するように配置されている請求項１３に記載の電子装置。
【請求項２３】
前記無線通信システムはロングタームエボリューションアドバンストＬＴＥ−Ａセルラー通信システムであって、前記電子装置は前記無線通信システムにおけるリモートユーザー装置である請求項１３から２２のいずれか１項に記載の電子装置。
【請求項２４】
無線通信システムにおいて無線通信を行うための方法であって、
前記無線通信システムにおける中継ユーザー装置と前記無線通信システムにおけるリモートユーザー装置との間のリンク品質を示す第１のリンク情報、前記中継ユーザー装置と前記無線通信システムにおける前記中継ユーザー装置へサービスを提供するサービングセルにおける基地局との間のリンク品質を示す第２のリンク情報、サービングセル受信電力変化率情報及び隣接セル受信電力変化率情報が含まれるシーン識別情報を取得し、
前記中継ユーザー装置が位置するシーンに関するシーン情報を前記シーン識別情報に基づいて確定して前記リモートユーザー装置に通知し、前記リモートユーザー装置を支援して中継再選択プロセスを実行するか、又は、前記中継ユーザー装置を支援して中継選択プロセスを実行する、
ことを含む方法。
【請求項２５】
無線通信システムにおいて無線通信を行うための方法であって、
リモートユーザー装置と前記無線通信システムにおける前記リモートユーザー装置へ中継サービスを提供する中継ユーザー装置との間のリンク品質を監視し、
前記中継ユーザー装置が位置するシーンに関するシーン情報を取得し、
前記シーン情報に基づいて中継再選択プロセスを実行する、
ことを含む方法。
【請求項２６】
無線通信システムにおいて無線通信を行うための方法であって、
リモートユーザー装置と前記無線通信システムにおける前記リモートユーザー装置へ中継サービスを提供する中継ユーザー装置との間のリンク品質を監視し、
前記中継ユーザー装置と前記無線通信システムにおける前記中継ユーザー装置及び前記リモートユーザー装置へサービスを提供するサービングセルにおける基地局との間のリンク品質を監視し、
隣接セル受信電力変化率とサービングセル受信電力変化率を監視し、
前記リモートユーザー装置と前記中継ユーザー装置との間のリンク品質が第１の閾値よりも大きく、前記中継ユーザー装置と前記基地局との間のリンク品質が第２の閾値よりも小さく、且つ、前記隣接セル受信電力変化率と前記サービングセル受信電力変化率との差が第３の閾値よりも大きい場合に、
隣接セル受信信号品質情報を取得し、
前記隣接セル受信信号品質情報に基づいて、前記リモートユーザー装置に対して中継再選択を実行する候補目標セルを確定し、
前記候補目標セルのそれぞれにオフセット値を設置し、
前記オフセット値に基づいて、前記リモートユーザー装置の中継再選択プロセスを実行する、
ことを含む方法。
【発明の詳細な説明】
【技術分野】
【０００１】
本出願は、２０１５年１１月５日に中国特許庁に提出された、出願番号が２０１５１０７５１０２６．４であって、発明の名称が「無線通信システムにおける電子装置及び無線通信方法」である中国特許出願の優先権を主張し、その全内容は、参照により本明細書に援用する。
【０００２】
本開示は、無線通信の技術分野に関し、具体的には、無線通信システムにおける電子装置及び無線通信システムにおいて無線通信を行うための方法に関する。
【背景技術】
【０００３】
この部分は本開示に関する背景情報を提供しており、これは必ずしも従来技術ではない。
【０００４】
ＬＴＥ−Ａ（Ｌｏｎｇ  Ｔｅｒｍ  Ｅｖｏｌｕｔｉｏｎ−Ａｄｖａｎｃｅｄ、ロングタームエボリューションアドバンスド）システムのＲ１３（Ｒｅｌｅａｓｅ  １３、第１３バージョン）バージョンにおいて、中継ＵＥ（Ｕｓｅｒ  Ｅｑｕｉｐｍｅｎｔ、ユーザー装置）を導入し、基地局から遠いリモートＵＥは、中継ＵＥを介して基地局と通信することができ、これにより、ネットワークカバレッジを拡大し、セルのエッジユーザーレート及びスペクトル再使用率を改善することができ、これは、ＬＴＥ−Ａシステムの前景技術である。しかしながら、実際のシーンでは、中継ＵＥとリモートＵＥは連続的に動いている状態にある可能性があり、この場合、リモートＵＥは、サービスの連続性を保証するように、絶えずに中継再選択を実行する必要がある。中継再選択は、遠隔ＵＥと中継ＵＥとの間のＰＣ５リンクの品質の劣化と、中継ＵＥと基地局との間のＵｕリンクの品質の劣化の２つの理由によりトリガーされ得る。一つ目のケースでは、Ｕｕリンクの品質が良好であるがＰＣ５リンクの品質が劣化し、リモート  ＵＥは、ＰＣ５の信号品質によって中継再選択プロセスをトリガーする。この場合に、サービス中断はリモート  ＵＥ側のみで発生し、中継  ＵＥにほとんど影響を与えない。二つ目のケースでは、ＰＣ５リンクの品質が良好であるがＵｕリンクの品質が劣化し、リモートＵＥが中継再選択を実行するかどうかはまだ標準化の議論中にある。
【０００５】
本特許は、サービスの連続性を保証するために、Ｕｕリンク品質が劣化する場合に、リモートＵＥが中継再選択のプロセスを行う必要があると考える。しかしながら、実際のシーンにおいて、例えば中継ＵＥが切り替えのプロセスをまもなく実行するか、又は、中継ＵＥがサービングセルのカバレッジの外へまもなく移動するなどの複数の原因により、Ｕｕリンクの品質の劣化が引き起こされる可能性がある。異なる原因によって引き起こされるＵｕリンクの品質の劣化に対して、リモートＵＥと中継ＵＥによって実行される動作が異なる可能性がある。しかし、従来の技術では、Ｕｕリンクの品質が劣化した原因は区別されていない。つまり、リモートＵＥは、中継ＵＥがどんなシーンにあるか、まもなくどんな動作を実行するかを知ることができない。  そこで、リモートＵＥが中継再選択を実行するか、又は、中継ＵＥが中継選択を実行するように、リモートＵＥに中継ＵＥのシーンを知らせることができる新しい無線通信技術方案を提案する必要がある。
【発明の概要】
【発明が解決しようとする課題】
【０００６】
この部分は本開示の一般的な概要を提供し、すべての範囲又はそのすべての特徴の完全な開示ではない。
【０００７】
本開示の目的は、中継ＵＥがリモートＵＥを支援して中継再選択を実行するか、又は、リモートＵＥが中継ＵＥを支援して中継選択を実行するように、リモートＵＥに中継ＵＥのシーンを知らせることができる無線通信システムにおける電子装置及び無線通信システムにおいて無線通信を行うための方法を提供することにある。これによって、システムのパフォーマンスを向上させ、Ｘ２インターフェースのオーバーヘッドを低減する。
【課題を解決するための手段】
【０００８】
本開示の一態様によれば、無線通信システムにおける電子装置であって、１つ又は複数の処理回路を含み、前記処理回路は、前記電子装置と前記無線通信システムにおけるユーザー装置との間のリンク品質を示す第１のリンク情報、前記電子装置と前記無線通信システムにおける前記電子装置へサービスを提供するサービングセルにおける基地局との間のリンク品質を示す第２のリンク情報、サービングセル受信電力変化率情報及び隣接セル受信電力変化率情報が含まれるシーン識別情報を取得し、前記電子装置が位置するシーンに関するシーン情報を前記シーン識別情報に基づいて確定して前記ユーザー装置に通知し、前記ユーザー装置を支援して中継再選択プロセスを実行するか、又は、前記電子装置を支援して中継選択プロセスを実行する、という動作を実行するように配置されている。
【０００９】
本開示の他の態様によれば、無線通信システムにおける電子装置であって、前記無線通信システムにおける前記電子装置へ中継サービスを提供する中継ユーザー装置に、前記電子装置と前記中継ユーザー装置との間のリンク品質を示す第１のリンク情報を送信するように配置されている送受信機と、前記中継ユーザー装置が位置するシーンに関するシーン情報を取得し、前記シーン情報に基づいて中継再選択プロセスを実行するという動作を実行するように配置されている１つ又は複数の処理回路とを含む。
【００１０】
本開示の他の態様によれば、無線通信システムにおいて無線通信を行うための方法であって、前記電子装置と前記無線通信システムにおけるユーザー装置との間のリンク品質を示す第１のリンク情報、前記電子装置と前記無線通信システムにおける前記電子装置へサービスを提供するサービングセルにおける基地局との間のリンク品質を示す第２のリンク情報、サービングセル受信電力変化率情報及び隣接セル受信電力変化率情報とが含まれるシーン識別情報を取得し、前記電子装置が位置するシーンに関するシーン情報を前記シーン識別情報に基づいて確定して前記ユーザー装置に通知し、前記ユーザー装置を支援して中継再選択プロセスを実行するか、又は、前記電子装置を支援して中継選択プロセスを実行することを含む。
【００１１】
本開示の他の態様によれば、無線通信システムにおいて無線通信を行うための方法であって、前記無線通信システムにおけるリモートユーザー装置へ中継サービスを提供する中継ユーザー装置に、前記リモートユーザー装置と前記中継ユーザー装置との間のリンク品質を示す第１のリンク情報を送信し、前記中継ユーザー装置が位置するシーンに関するシーン情報を取得し、前記シーン情報に基づいて中継再選択プロセスを実行することを含む。
【００１２】
本開示の他の態様によれば、無線通信システムにおいて無線通信を行うための方法であって、リモートユーザー装置と前記無線通信システムにおける前記リモートユーザー装置へ中継サービスを提供する中継ユーザー装置との間のリンク品質を監視し、前記中継ユーザー装置と前記無線通信システムにおける前記中継ユーザー装置及び前記リモートユーザー装置へサービスを提供するサービングセルにおける基地局との間のリンク品質を監視し、隣接セル受信電力変化率及びサービングセル受信電力変化率を監視し、前記リモートユーザー装置と前記中継ユーザー装置との間のリンク品質が第１の閾値よりも大きく、前記中継ユーザー装置と前記基地局との間のリンク品質が第２の閾値よりも小さく、且つ、前記隣接セル受信電力変化率と前記サービングセル受信電力変化率との差が第３の閾値よりも大きい場合に、隣接セル受信信号品質情報を取得し、前記隣接セル受信信号品質情報に基づいて、前記リモートユーザー装置に対して中継再選択を実行する候補目標セルを確定し、前記候補目標セルのそれぞれにオフセット値を設置し、前記オフセット値に基づいて前記リモートユーザー装置の中継再選択プロセスを実行することを含む。
【００１３】
本開示の無線通信システムにおける電子装置及び無線通信システムにおいて無線通信を行うための方法によれば、中継ＵＥは、それが位置するシーンを確定し、シーン情報をリモートＵＥに通知することができ、これによって、中継ＵＥは、リモートＵＥを支援して中継再選択を実行するか、又は、リモートＵＥは、中継ＵＥを支援して中継選択を実行することで、システムのパフォーマンスを向上させ、Ｘ２インターフェースのオーバーヘッドを低減することができる。
【００１４】
ここに提供された説明から、さらなる適用領域が明らかになる。この概要における説明及び特定の例は、例示の目的のためであり、本開示の範囲を限定することを意図するものではない。
【図面の簡単な説明】
【００１５】
本明細書に開示された図面は、全ての可能な実施態様ではなく、選択された実施例の例示の目的のためであり、本開示の範囲を限定することを意図するものではない。図面において、
【図１】（ａ）はＵｕリンクの品質が劣化したシーンを示す模示図であり、（ｂ）はＵｕリンクの品質が劣化した他のシーンを示す模示図である。
【図２】本開示の実施例による無線通信システムにおける電子装置の構成を示すブロック図である。
【図３】本開示の実施例による無線通信システムにおけるソース中継ユーザー装置とリモートユーザー装置がシグナリング伝達を行うことを示すフローチャートである。
【図４】本開示の実施例による無線通信システムにおけるソース中継ユーザー装置がリモートユーザー装置を支援して中継再選択を行うシーンを示す模示図である。
【図５】本開示の実施例による無線通信システムにおける電子装置がリモートユーザー装置を支援して中継再選択を行うシグナリング伝達を示すフローチャートである。
【図６】本開示の実施例によるＡ３イベントに基づく切り替えプロセスを示す模示図である。
【図７】本開示の実施例によるリモートユーザー装置が最終的な中継リンクを確定し、中継ユーザー装置が高速無線リンク回復を行うプロセスを示す模示図である。
【図８】本開示の実施例による目標中継ユーザー装置の負荷状況に基づいてリモートユーザー装置の中継再選択プロセスを確定することを示す模示図である。
【図９】本開示の実施例による無線通信システムにおける他の電子装置の構成を示すブロック図である。
【図１０】本開示の実施例による無線通信方法を示すフローチャートである。
【図１１】本開示の他の実施例による無線通信方法を示すフローチャートである。
【図１２】本開示に適用するｅＮＢ（ｅｖｏｌｕｔｉｏｎ  Ｎｏｄｅ  Ｂａｓｅ  Ｓｔａｔｉｏｎ、進化ノード基地局）の概略構成の第１の例を示すブロック図である。
【図１３】本開示に適用するｅＮＢの概略構成の第２の例を示すブロック図である。
【図１４】本開示に適用するスマートフォンの概略構成の例を示すブロック図である。
【図１５】本開示に適用するカーナビゲーションの概略構成の例を示すブロック図である。
【００１６】
本開示は様々な修正と代替形態の影響を受けやすいが、その特定の実施例は例として添付の図面に示されて、そして、ここで詳細に説明する。しかし、理解すべきことは、ここでの特定の実施例に対する説明は、本開示を公開された具体的な形態に限定することを意図するものではなく、逆に、本開示は本開示の精神および範囲内に入る全ての修正、均等物、及び置換を包含することを意図する。なお、いくつかの図面を通して、対応する符号は対応する部品を指示する。
【発明を実施するための形態】
【００１７】
本開示の例について、添付の図面を参照してより十分に説明する。以下の説明は、本質的には単に例示的なものであり、本開示、適用または使用を限定することを意図するものではない。
【００１８】
本開示が詳しくなり、その範囲を当業者に十分に伝えるように、例示的な実施例を提供する。特定の部品、デバイス、及び方法の例などの様々な特定の詳細を説明して、本開示の実施例に対する十分な理解を提供する。特定の詳細を使用する必要なく、例示的な実施例は多くの異なる形態で実施することができ、どちらも本開示の範囲を限定するものと解釈されるべきではないことは、当業者には明らかである。いくつかの例示的な実施例では、周知のプロセス、周知の構造、及び周知の技術は詳細に記載されていない。
【００１９】
本開示にかかるＵＥは、携帯端末、コンピュータ、車載機器などの無線通信機能を有する端末を含むが、これに限られない。さらに、具体的に説明した機能に依存して、本開示にかかるＵＥはＵＥ自体又はチップなどのその中の部品であってもよい。なお、同様に、本開示にかかる基地局は、例えばｅＮＢ又はチップなどのｅＮＢにおける部品であってもよい。ひいては、本開示の技術方案は例えば、ＦＤＤ（Ｆｒｅｑｕｅｎｃｙ  Ｄｉｖｉｓｉｏｎ  Ｄｕｐｌｅｘｉｎｇ、周波数分割複信）システムに適用できる。
【００２０】
本開示はまず、ソース中継ＵＥがｅＮＢ１のカバレッジ内に位置し、リモートＵＥがｅＮＢ１のカバレッジ内に位置せず、リモートＵＥがソース中継ＵＥを介してｅＮＢ１と通信するようなシーンを検討する。そして、ソース中継ＵＥとリモートＵＥは移動を開始し、ソース中継ＵＥとリモートＵＥとの距離は常に接近し、つまり、ＰＣ５リンクの品質は常に良好である。ソース中継ＵＥはｅＮＢ１から段々遠くなり、ｅＮＢ２に段々近づいて、つまり、Ｕｕリンクの品質が劣化している。図１（ａ）は、上記のシーンを示す具体例である。図１（ａ）に示すように、ソース中継ＵＥとリモートＵＥは２つの平行な道路上で運動している。ここで、道路１は高速鉄道であって、ｅＮＢ２のカバレッジ内に位置し、道路２は高速鉄道の隣にある大通りであって、山と樹木に囲まれ、いずれのｅＮＢのカバレッジ内にもない。ソース中継ＵＥとリモートＵＥはほぼ同じ速度で同一方向へ運動し、相対速度が小さいと仮定する。図１（ａ）から分かるように、ソース中継ＵＥとリモートＵＥとの距離が常に近く、つまり、ＰＣ５リンクの品質が常に良好である。ソース中継ＵＥはｅＮＢ１から段々遠くなり、ｅＮＢ２に段々近づいて、つまり、Ｕｕリンクの品質が劣化し、隣接セルの信号品質が大幅に強化する。このプロセスでは、各サービスの連続性を保証するために、ソース中継ＵＥは切り替えプロセスをまもなく実行し、即ち、ｅＮＢ２がカバーするセルに切り替え、リモートＵＥは中継再選択プロセスをまもなく実行し、即ち、別のｅＮＢのカバレッジ内の目標中継ＵＥを再選択する。
【００２１】
図１（ｂ）は、Ｕｕリンクの品質が劣化している他のシーンを示す模示図である。図１（ｂ）に示すように、最初、ソース中継ＵＥがｅＮＢのカバレッジ内に位置し、リモートＵＥがｅＮＢのカバレッジ内に位置せず、リモートＵＥはソース中継ＵＥを介してｅＮＢと通信する。そして、ソース中継  ＵＥが運動を開始して、ｅＮＢのカバレッジ内からｅＮＢのカバレッジ外に移動し、また、その周囲に他のｅＮＢがない。図１（ｂ）から分かるように、ソース中継ＵＥとリモートＵＥとの距離は常に近く、つまり、ＰＣ５リンクの品質が常に良好である。ソース中継ＵＥはｅＮＢから段々遠くなり、つまり、Ｕｕリンクの品質が劣化し、隣接セルのダウンリンク品質はほぼ一定又は減少し、即ち、ソース中継ＵＥはまもなくリモートＵＥに変わる。このプロセスでは、各サービスの連続性を保証するために、リモートＵＥは中継再選択プロセスをまもなく実行して、１つのｅＮＢのカバレッジ内の目標中継ＵＥを再選択して、ｅＮＢとの通信を支援し、ソース中継ＵＥは中継選択プロセスをまもなく実行して、１つのｅＮＢカバレッジ内の中継ＵＥを選択して、ｅＮＢとの通信を支援する。
【００２２】
図１（ａ）と図１（ｂ）に示す２つのシーンで、従来の中継選択と中継再選択プロセスを実行すると、いくつかの問題がある。図１（ａ）に示すシーンでは、ソース中継ＵＥが切り替えプロセスを完了した後、リモートＵＥとソース中継ＵＥとの間は、相対速度が小さく、距離が近いため、リモートＵＥは最初のソース中継ＵＥを再選択する可能性が高い。このような現象が頻繁に発生すると、ネットワークに余分なシグナリングオーバーヘッドをもたらし、ソース中継ＵＥとリモートＵＥの電力損失を引き起こす。従って、ソース中継ＵＥとリモートＵＥのサービス中断及び巨大なシグナリングオーバーヘッドはネットワークに大きな影響を与える。図１（ｂ）に示すシーンでは、リモートＵＥの中継再選択とソース中継ＵＥの中継選択の両方は大量の測定プロセスを必要として、多くの時間を消費し、サービス中断を引き起こし、従って、測定時間を短縮しサービス中断を減らす必要がある。
【００２３】
上記の技術的問題に対して、本開示による技術的方案が提案される。図２は、本開示の実施例による無線通信システムにおける電子装置２００の構成を示した。
【００２４】
図２に示すように、電子装置２００は処理回路２１０を含むことができる。なお、電子装置２００は１つの処理回路２１０を含んでもよいし、複数の処理回路２１０を含んでもよい。また、電子装置２００は送受信機としての通信ユニット２２０などをさらに含んでもよい。
【００２５】
さらに、処理回路２１０は様々な個別の機能ユニットを含んで様々な異なる機能及び／又は動作を実行することができる。なお、これら機能ユニットは物理的又は論理的エンティティであってもよく、異なる呼称のユニットは同一の物理的エンティティによって実現することができる。
【００２６】
例えば、図２に示すように、処理回路２１０は、取得ユニット２１１と確定ユニット２１２を含むことができる。
【００２７】
図２に示す電子装置２００において、取得ユニット２１１は、シーン識別情報を取得することができる。シーン識別情報は、電子装置２００と無線通信システムにおけるユーザー装置との間のリンク品質を示す第１のリンク情報、電子装置２００と無線通信システムにおける電子装置２００へサービスを提供するサービングセルにおける基地局との間のリンク品質を示す第２のリンク情報、サービングセル受信電力変化率情報及び隣接セル受信電力変化率情報を含む。
【００２８】
確定ユニット２１２は、電子装置が位置するシーンに関するシーン情報をシーン識別情報に基づいて確定しユーザー装置に通知して、ユーザー装置を支援して中継再選択プロセスを実行するか、又は、電子装置を支援して中継選択プロセスを実行する。
【００２９】
本開示による電子装置２００を使用して、当該電子装置２００に接続されるユーザー装置に電子装置２００のシーン情報を送信することができ、ひいては、電子装置２００はユーザー装置を支援して中継再選択プロセスを行うか、又は、ユーザー装置は電子装置２００を支援して中継選択プロセスを行うことができ、これによって、ユーザー装置の中継再選択プロセス及び電子装置２００の中継選択プロセスを強化して、システムのパフォーマンスを向上させることができる。
【００３０】
本発明の実施例によれば、無線通信システムはＬＴＥ−Ａセルラー通信システムであって、電子装置２００は無線通信システムにおけるソース中継ＵＥであって、ユーザー装置は無線通信システムにおけるリモートＵＥであって、電子装置２００とユーザー装置との間のリンクはＰＣ５リンクであって、電子装置２００と基地局との間のリンクはＵｕリンクであってもよい。また、リンク品質を示す第１のリンク情報及び第２のリンク情報は、例えば、ＲＳＲＰ（Ｒｅｆｅｒｅｎｃｅ  Ｓｉｇｎａｌ  Ｒｅｃｅｉｖｉｎｇ  Ｐｏｗｅｒ、基準信号受信電力）、ＲＳＲＱ（Ｒｅｆｅｒｅｎｃｅ  Ｓｉｇｎａｌ  Ｒｅｃｅｉｖｉｎｇ  Ｑｕａｌｉｔｙ、基準信号受信品質）、受信信号強度指示ＲＳＳＩ（Ｒｅｃｅｉｖｅｄ  Ｓｉｇｎａｌ  Ｓｔｒｅｎｇｔｈ  Ｉｎｄｉｃａｔｉｏｎ、受信信号強度指示）及びＣＱＩ（Ｃｈａｎｎｅｌ  Ｑｕａｌｉｔｙ  Ｉｎｄｉｃａｔｉｏｎ、信道品質指示）のうち一つ又は複数であってもよく、ＲＳＲＰ、ＲＳＲＱ、ＲＳＳＩ及びＣＱＩのうちの一つ又は複数のレベルを示すパラメータであってもよい。隣接セル受信電力変化率情報は一定期間内に電子装置２００が受信した隣接セルの電力の変化量で表すことができる。同様に、サービングセル受信電力変化率情報は一定期間内に電子装置２００が受信したサービングセルの電力の変化量で表すことができる。
【００３１】
本開示の実施例によれば、第１のリンク情報はユーザー装置によって測定して、電子装置２００の取得ユニット２１１に送信することができ、電子装置２００は通信ユニット２２０を介して第１のリンク情報を受信することができる。例えば、ユーザー装置は周期的又はイベント的に第１のリンク情報に対する測定及びレポートをトリガーする。
【００３２】
本開示の実施例によれば、第２のリンク情報、サービングセル受信電力変化率情報、及び隣接セル受信電力変化率情報は電子装置２００の取得ユニット２１１によって測定することができる。例えば、電子装置２００の取得ユニット２１１は周期的又はイベント的に上記の情報に対する測定をトリガーすることができる。
【００３３】
本開示の実施例によれば、第２のリンク情報が電子装置２００と基地局との間のリンク品質が第２の閾値よりも小さいことを指示する場合に、処理回路２１０は中継再選択トリガー情報を生成して、中継再選択プロセスを実行するようにユーザー装置に通知する。例えば、電子装置２００がＲＳＲＰＵｕ＜ｔｈｒｅｓｈｏｌｄ２を確定する（その中、ＲＳＲＰＵｕが第２のリンク情報を表し、ｔｈｒｅｓｈｏｌｄ２が第２のリンク情報の閾値を表す）場合に、電子装置２００と基地局との間のリンク品質が悪いことを示し、通信ユニット２２０を介してユーザー装置へ中継再選択トリガー情報を送信して、ユーザー装置が中継再選択プロセスを実行するようにトリガーする。
【００３４】
本開示の他の実施例によれば、電子装置２００は第２のリンク情報をユーザー装置に直接的に送信し、中継再選択プロセスを実行する必要があることをユーザー装置によって確定してもよい。この実施例において、シグナリングオーバーヘッドを節約するために、電子装置２００は第２のリンク情報を異なるレベルに数量化し、レベル情報をユーザー装置に送信してもよい。例えば、電子装置２００側には、第２のリンク情報のレベルを指示するための「Ｕｕ  ｌｉｎｋ  Ｑｕａｌｉｔｙ  Ｉｎｄｉｃａｔｏｒ」が付加されてもよい。ＲＳＲＰを例とすると、８レベルのＲＳＲＰは３ビットの「Ｕｕ  ｌｉｎｋ  Ｑｕａｌｉｔｙ  Ｉｎｄｉｃａｔｏｒ」情報によって指示され、周期的又はイベント的にユーザー装置に送信する。ＲＳＲＰとそのレベル及び「Ｕｕ  ｌｉｎｋ  Ｑｕａｌｉｔｙ  Ｉｎｄｉｃａｔｏｒ」のマッピング関係は次の表に示す。
【００３５】
【表１】
2018533311.tif 000003
【００３６】
なお、ＲＳＲＰ０―ＲＳＲＰ７は全て、ＲＳＲＰの閾値である。
【００３７】
本開示の実施例によれば、確定ユニット２１２は、取得ユニット２１１からシーン識別情報を受信し、電子装置２００が位置するシーンに関するシーン情報をシーン識別情報に基づいて確定する。ここで、電子装置２００が位置するシーンには、電子装置２００が切り替えプロセスを実行しようとしている第１のシーンと、電子装置２００が中継選択プロセスを実行しようとしている第２のシーンが含まれる。
【００３８】
本開示の実施例によれば、確定ユニット２１２は以下の方法によってシーン情報を確定することができる。ＲＳＲＰＳＰＣ５＞ｔｈｒｅｓｈｏｌｄ１且つＲＳＲＰＵｕ＜ｔｈｒｅｓｈｏｌｄ２且つΔＲＳＲＰｎ−ΔＲＳＲＰＳ＞ｔｈｒｅｓｈｏｌｄ３である場合に、確定ユニット２１２は、電子装置２００が切り替えプロセスを実行しようとしている第１のシーンにあると判断することができ、ＲＳＲＰＳＰＣ５＞ｔｈｒｅｓｈｏｌｄ１且つＲＳＲＰＵｕ＜ｔｈｒｅｓｈｏｌｄ２且つΔＲＳＲＰｎ−ΔＲＳＲＰＳ＜ｔｈｒｅｓｈｏｌｄ３である場合に、確定ユニット２１２は、電子装置２００が中継選択プロセスを実行しようとしている第２のシーンにあると確定することができる。その中、ＲＳＲＰＳＰＣ５は第１のリンク情報を表し、ＲＳＲＰＵｕは第２のリンク情報を表し、ΔＲＳＲＰｎは隣接セル受信電力変化率情報を表し、ΔＲＳＲＰＳはサービングセル受信電力変化率情報を表し、ｔｈｒｅｓｈｏｌｄ１は第１のリンク情報の閾値を表し、ｔｈｒｅｓｈｏｌｄ２は第２のリンク情報の閾値を表し、ｔｈｒｅｓｈｏｌｄ３は隣接セル受信電力変化率とサービングセル受信電力変化率との差の閾値を表し、これらの三つの閾値はシステムの実際の状況に基づいて設置することができる。第１のリンク情報がｔｈｒｅｓｈｏｌｄ１よりも大きい場合に、第１のリンクの品質が良好であることを表し、第１のリンク情報がｔｈｒｅｓｈｏｌｄ１よりも小さい場合に、第１のリンクの品質が悪いことを表す。同様に、第２のリンク情報がｔｈｒｅｓｈｏｌｄ２よりも大きい場合に、第２のリンクの品質が良好であることを表し、第２のリンク情報がｔｈｒｅｓｈｏｌｄ２よりも小さい場合に、第２のリンクの品質が悪いことを表す。隣接セル受信電力変化率とサービングセル受信電力変化率の差がｔｈｒｅｓｈｏｌｄ３よりも大きい場合に、一定期間内に電子装置２００が受信した隣接セル電力の変化量が大きく、受信したサービングセル電力の変化量が小さい、つまり、電子装置２００がサービングセルのエッジに位置し、隣接セルに近いことを表し、隣接セル受信電力変化率とサービングセル受信電力変化率との差がｔｈｒｅｓｈｏｌｄ３よりも小さい場合に、一定期間内に電子装置２００が受信した隣接セル電力の変化量が小さく、受信したサービングセル電力の変化量が大きい、つまり、電子装置２００がサービングセルのエッジに位置し、且つ、周囲に十分に近い隣接セルがないことを表す。
【００３９】
ここで、確定ユニット２１２がＲＳＲＰＳＰＣ５＞ｔｈｒｅｓｈｏｌｄ１と判断する場合に、ＰＣ５リンクの品質が良好であることを表し、ＲＳＲＰＵｕ＜ｔｈｒｅｓｈｏｌｄ２はＵｕリンクの品質が悪いことを表し、ΔＲＳＲＰｎ−ΔＲＳＲＰＳ＞ｔｈｒｅｓｈｏｌｄ３は電子装置２００がサービングセルのエッジに位置し、隣接セルに近いことを表すことで、確定ユニット２１２は、電子装置２００が切り替えプロセスを実行しようとしている第１のシーンにあることを確定することができる。同様に、確定ユニット２１２がＲＳＲＰＳＰＣ５＞ｔｈｒｅｓｈｏｌｄ１と判断する場合に、ＰＣ５リンクの品質が良好であることを表し、ＲＳＲＰＵｕ＜ｔｈｒｅｓｈｏｌｄ２はＵｕリンクの品質が悪いことを表し、ΔＲＳＲＰｎ−ΔＲＳＲＰＳ＜ｔｈｒｅｓｈｏｌｄ３は、電子装置２００が基地局のカバレッジ外に移動していることを表すことで、確定ユニット２１２は、電子装置２００が中継選択を実行しようとしている第２のシーンにあることを確定することができる。
【００４０】
本開示の実施例によれば、電子装置２００の取得ユニット２１１は、通信ユニット２２０を介してユーザー装置からＲＳＲＰＳＰＣ５を取得することができるので、確定ユニット２１２によって、ＲＳＲＰＳＰＣ５＞ｔｈｒｅｓｈｏｌｄ１を満たすかどうかを確定する。本開示の他の実施例によれば、ユーザー装置側はＲＳＲＰＳＰＣ５の値がＲＳＲＰＳＰＣ５＞ｔｈｒｅｓｈｏｌｄ１を満たすかどうかを直接的に確定してから、確定結果を電子装置２００の取得ユニット２１１にフィードバックすることができ、ここで、１ビットの情報「Ｄｉｓｔａｎｃｅ  Ｉｎｄｉｃａｔｏｒ」によって確定結果を表し、当該「Ｄｉｓｔａｎｃｅ  Ｉｎｄｉｃａｔｏｒ」がユーザー装置側によって維持され、周期的又はイベント的に電子装置２００にレポートすることができる。例えば、「Ｄｉｓｔａｎｃｅ  Ｉｎｄｉｃａｔｏｒ」＝「１」はＲＳＲＰＳＰＣ５＞ｔｈｒｅｓｈｏｌｄ１を表し、「Ｄｉｓｔａｎｃｅ  Ｉｎｄｉｃａｔｏｒ」＝「０」はＲＳＲＰＳＰＣ５＜ｔｈｒｅｓｈｏｌｄ１を表す。また、測定結果の正確性のために、Ｎ１（Ｎ１が自然数である）個のＲＳＲＰＳＰＣ５＞ｔｈｒｅｓｈｏｌｄ１イベントが連続的に発生する場合に、「Ｄｉｓｔａｎｃｅ  Ｉｎｄｉｃａｔｏｒ」を「１」に設置し、Ｎ２（Ｎ２が自然数である）個のＲＳＲＰＳＰＣ５＜ｔｈｒｅｓｈｏｌｄ１イベントが連続的に発生する場合に、「Ｄｉｓｔａｎｃｅ  Ｉｎｄｉｃａｔｏｒ」を「０」に設置し、上記の２種類のイベントとも発生しない場合に、「Ｄｉｓｔａｎｃｅ  Ｉｎｄｉｃａｔｏｒ」を電子装置２００に前回にレポートした「Ｄｉｓｔａｎｃｅ  Ｉｎｄｉｃａｔｏｒ」値と同じ値に設置することができる。
【００４１】
本開示の実施例によれば、電子装置２００の確定ユニット２１２は電子装置２００が位置するシーンに関するシーン情報を確定した後に通信ユニット２２０を介してユーザー装置に通知して、第１のシーンにおいて電子装置２００がユーザー装置を支援して中継再選択プロセスを実行するか、又は、第２のシーンにおいてユーザー装置が電子装置２００を支援して中継選択プロセスを実行することができる。ここで、シーン情報を示すための１ビットの情報「Ｓｃｅｎａｒｉｏ  Ｉｎｄｉｃａｔｏｒ」を増加することができ、当該「Ｓｃｅｎａｒｉｏ  Ｉｎｄｉｃａｔｏｒ」が電子装置２００側によって維持され、周期的又はイベント的にユーザー装置に送信する。例えば、「Ｓｃｅｎａｒｉｏ  Ｉｎｄｉｃａｔｏｒ」＝「０」である場合に、電子装置２００が第１のシーンにあることを指示し、「Ｓｃｅｎａｒｉｏ  Ｉｎｄｉｃａｔｏｒ」＝「１」である場合に、電子装置２００が第２のシーンにあることを指示し、「Ｓｃｅｎａｒｉｏ  Ｉｎｄｉｃａｔｏｒ」が空である場合に、電子装置２００が第１のシーン及び第２のシーンの以外のシーンにあることを指示する。
【００４２】
ここで、電子装置２００の通信ユニット２２０は、中継再選択トリガー情報とシーン情報を合成して送信してもよく、単独で送信してもよい。
【００４３】
図３は、本開示の実施例による無線通信システムにおけるソース中継ユーザー装置とリモートユーザー装置がシグナリング伝達を行うことを示すフローチャートである。
【００４４】
図３に示すように、リモートＵＥは、リモートＵＥとソース中継ＵＥとの間のリンク品質を示す第１のリンク情報をソース中継ＵＥに送信し、ソース中継ＵＥはソース中継ＵＥが位置するシーンを確定した後、シーン情報をリモートＵＥに通知する。
【００４５】
図４は、本開示の実施例による無線通信システムにおけるソース中継ユーザー装置がリモートユーザー装置を支援して中継再選択を行うシーンを示す模示図である。
【００４６】
図４に示すように、ソース中継ＵＥは切り替えプロセスを実行しようとしている第１のシーンにある。前に述べたように、ソース中継ＵＥとリモートＵＥは２つの平行な道路上で運動して、それぞれのサービスの連続性を保証するために、ソース中継ＵＥは切り替えプロセスをまもなく実行し、即ち、ｅＮＢ２がカバーするセルに切り替え、リモート  ＵＥは中継再選択プロセスをまもなく実行し、即ち、別のｅＮＢのカバレッジ内の目標中継ＵＥを再選択する。ここで、ｅＮＢ２のカバレッジ内のＵＥ１とＵＥ２、及びｅＮＢ３のカバレッジ内のＵＥ３とＵＥ４は共にリモートＵＥの目標中継ＵＥとすることができ、リモートＵＥは一定の規則に従って４つのＵＥのうち１つを再選択し、目標中継ＵＥを介してｅＮＢ２又はｅＮＢ３との通信を行うことができる。
【００４７】
しかしながら、ソース中継ＵＥが切り替えプロセスを完了した後、リモートＵＥとソース中継ＵＥとの間は、相対速度が小さく、距離が近いため、リモートＵＥは最初のソース中継ＵＥを再選択する可能性が高い。このような場合に、リモートＵＥがＵＥ３又はＵＥ４を目標中継ＵＥとして再選択したら、ｅＮＢ１がＸ２インターフェースを介してリモートＵＥとソース中継ＵＥのコンテキストをｅＮＢ３に伝送する必要があり、ソース中継ＵＥが切り替えプロセスを完了した後、リモートＵＥは最初のソース中継ＵＥを再選択し、ｅＮＢ３はＸ２インターフェースを介してリモートＵＥとＵＥ３又はＵＥ４のコンテキストをｅＮＢ２に伝送する必要がある。このプロセスでは、リモートＵＥのコンテキストは２回Ｘ２インターフェースを介してｅＮＢとの間で伝送され、システムのオーバーヘッドを増加する。逆に、リモートＵＥがＵＥ１又はＵＥ２を目標中継ＵＥとして再選択したら、ｅＮＢ１はＸ２インターフェースを介してリモートＵＥとソース中継ＵＥのコンテキストをｅＮＢ２に送信する必要があり、ソース中継ＵＥが切り替えプロセスを完了した後、リモートＵＥが最初のソース中継ＵＥを再選択し、当該ソース中継ＵＥもｅＮＢ２のカバレッジ内に位置するので、リモートＵＥのコンテキストを再伝送する必要がなく、システムのオーバーヘッドを節約することができる。従って、リモートＵＥが中継再選択を行う際にＵＥ１又はＵＥ２を再選択することができることが望ましく、即ち、リモートＵＥへサービスを提供する最終的な目標セルがｅＮＢ２であることが望ましい。
【００４８】
上記の技術的問題を解決するために、本発明の実施例によれば、処理回路２１０は、さらに、実行されているＡ３イベントのＴＴＴ（Ｔｉｍｅ  ｔｏ  Ｔｒｉｇｇｅｒ，  トリガー時間）の長さを示すＴＴＴ長さ情報又は隣接セル受信信号品質情報を取得し、ＴＴＴ長さ情報又は隣接セル受信信号品質情報に基づいて、ユーザー装置に対して候補目標セルを確定し、候補目標セルのそれぞれにオフセット値を設置して、ユーザー装置を支援して候補目標セルからユーザー装置へサービスを提供する最終的な目標セルを選択するようにする、という動作を実行するように配置されている。
【００４９】
本開示の実施例によれば、ソース中継ＵＥが、リモートＵＥに中継再選択プロセスを行うようにトリガーする場合に、ソース中継ＵＥ端にはＮ１個（Ｎ１が自然数である）のＡ３イベントのＴＴＴが実行している状態にあり、電子装置２００（例えば、電子装置２００の選択ユニット、図示せず）はこれらのＴＴＴ長さ情報を取得し、前Ｎ２個のＴＴＴを降順で選択し、その対応するセルをユーザー装置の候補目標セルとすることができ、ソース中継ＵＥが、リモートＵＥに中継再選択プロセスを行うようにトリガーする場合に、ソース中継ＵＥ端には実行されている状態にあるＴＴＴがなく、電子装置２００（例えば、電子装置２００の選択ユニット、図示せず）は隣接セル受信信号品質情報を取得し、隣接セル受信信号品質の降順で、前のＮ２個の受信信号品質に対応するセルをユーザー装置の候補目標セルとして選択することができる。ここで、Ｎ２が自然数であり、システムの実際の状況によって配置することができ、Ｎ１＜Ｎ２であれば、Ｎ１個のＴＴＴ又は隣接セル受信信号品質に対応するセルを候補目標セルとする。本開示の実施例によれば、隣接セル受信信号品質情報はＲＳＲＰ、ＲＳＲＱ、ＲＳＳＩ及びＣＱＩのうちの１つ又は複数であってもよい。
【００５０】
本開示の実施例によれば、電子装置２００（例えば、電子装置２００における設置ユニット、図示せず）は、候補目標セルのそれぞれにオフセット値を設置することができる。同一の候補目標セルのカバレッジ内のＵＥが同じオフセット値を有する。例えば、図４に示す例では、ｅＮＢ２とｅＮＢ３の両方はリモートＵＥの候補目標セルであれば、ＵＥ１とＵＥ２は同じオフセット値を有し、ＵＥ３とＵＥ４は同じオフセット値を有する。
【００５１】
本開示の実施例によれば、ＴＴＴ長さ情報又は隣接セル受信信号品質情報によって候補目標セルのオフセット値を設置する。例えば、ＴＴＴの長さ又は隣接セル受信信号品質が大きいほど、当該ＴＴＴの長さ又は隣接セル受信信号品質に対応するセルのオフセット値が大きくなる。
【００５２】
本開示の実施例によれば、電子装置２００（例えば、電子装置２００における設置ユニット、図示せず）は、表２に示すように、１つのＴＴＴの長さ又は隣接セル受信信号品質とオフセット値との間のマッピングテーブルを維持することができる。表２において、ＲＳＲＰによって隣接セルの受信信号品質を表し、例えばＲＳＲＱやＲＳＳＩ、ＣＱＩなどの他のパラメータによって隣接セルの受信信号品質を示す場合について同様である。
【００５３】
【表２】
2018533311.tif 000004
【００５４】
表２において、ＴＴＴ０、ＴＴＴ１、ＴＴＴ２、ＴＴＴ３…（昇順）及びＲＳＲＰ０、ＲＳＲＰ１、ＲＳＲＰ２、ＲＳＲＰ３…（昇順）は全てＴＴＴの長さ又は隣接セル受信信号品質の閾値であり、Ｂｉａｓ１、Ｂｉａｓ２、Ｂｉａｓ３…（昇順）はオフセット値であり、電子装置２００（例えば、電子装置２００における設置ユニット、図示せず）は異なるＴＴＴ長さ又は隣接セル受信信号品質によって当該マッピングテーブルを探して異なるオフセット値を生成することができる。
【００５５】
以降、本開示の実施例によれば、電子装置２００は通信ユニット２２０を介して候補目標セルのセルＩＤ（ｉｄｅｎｔｉｆｉｃａｔｉｏｎ、識別子）及び対応するオフセット値をリモートＵＥに送信することができる。ここで、候補目標セルのセルＩＤ及び対応するオフセット値はシーン情報及び／又は中継再選択トリガー情報と合成して一緒にリモートＵＥに送信してもよく、シーン情報及び／又は中継再選択トリガー情報と別々にリモートＵＥに送信してもよい。つまり、候補目標セルのセルＩＤ及び対応するオフセット値、シーン情報、及び中継再選択トリガー情報の３種類の情報は任意の組み合わせの方式で合成して送信してもよいし、別々に送信してもよい。
【００５６】
本開示の実施例によれば、リモートＵＥが電子装置２００から候補目標セルのセルＩＤ及び対応するオフセット値を受信した後、オフセット値に基づいて候補目標セルから目標中継ＵＥを確定することができる。
【００５７】
本開示の実施例によれば、リモートＵＥは下記の３種類の方法を採用して候補目標セルから目標中継ＵＥを確定することができる。
【００５８】
方法一
【００５９】
この実施例では、リモートＵＥはオフセット値の大きさに従って候補目標セルの優先度を設置し、目標中継ＵＥを確定するまでに、候補目標セルの優先度に従って候補目標セルにおける候補目標中継ＵＥに対して中継再選択プロセスを実行することができる。
【００６０】
例えば、リモートＵＥはオフセット値が大きい候補目標セルの優先度を高く設置し、オフセット値が小さい候補目標セルの優先度を低く設置し、そして、優先度の降順に候補目標セルを配列し、その後、順序にリモートＵＥと候補目標セルにおける候補目標中継ＵＥとの間のＰＣ５リンクの品質を測定し、リモートＵＥと候補目標セルにおける候補目標中継ＵＥとの間のＰＣ５リンクの品質がアクセス条件を満たす場合に、測定を停止し、当該候補目標セルにおける候補目標中継ＵＥを目標中継ＵＥとして直接的に選択する。
【００６１】
上記の方法一によれば、オフセット値がＴＴＴの長さ又は隣接セル受信信号品質に比例し、リモートＵＥはオフセット値に基づいて目標中継ＵＥを確定するので、方法の実現が容易であって、且つ、リモートＵＥによって確定された目標中継ＵＥはソース中継ＵＥがまもなく切り替えられるセルに位置する確率が大幅に増加するため、ソース中継ＵＥが切り替えプロセスを完了した後、Ｘ２インターフェースを介してリモートＵＥのコンテキスト情報を伝送する必要がなくなり、シグナリングオーバーヘッドを節約し、切り替えフローを簡素化する。
【００６２】
方法二
【００６３】
この実施例において、リモートＵＥはリモートＵＥと候補目標セルにおける候補目標中継ＵＥとの間のリンク品質を示すリンク品質値を取得し、リモートＵＥと候補目標セルにおける候補目標中継ＵＥとの間のリンク品質を示すリンク品質値とオフセット値に基づいて目標中継ＵＥを選択することができる。例えば、リモートＵＥは候補目標セルに対応するオフセット値を候補目標セルにおける候補目標中継ＵＥに対応するリンク品質値に加えて、調整リンク品質値を取得し、調整リンク品質値に基づいて中継再選択プロセスを実行する。
【００６４】
ここで、リモートＵＥはリモートＵＥと全ての候補目標セルにおける候補目標中継ＵＥとの間のＰＣ５リンクの品質を測定し、候補目標セルに対応するオフセット値をリンク品質値に加えて調整リンク品質値を取得し、全ての候補目標セルから調整リンク品質値が最も大きいセルを目標中継ＵＥとして選択することができる。
【００６５】
上記の方法二によれば、オフセット値とＰＣ５リンクの品質の両方を総合的に考慮したので、確定した目標中継ＵＥがソース中継ＵＥがまもなく切り替えられるセルに位置する確率が大幅に増加するのみならず、さらなる正確にもなる。
【００６６】
方法三
【００６７】
この実施例において、リモートＵＥはリモートＵＥと候補目標セルにおける候補目標中継ＵＥとの間のリンク品質を示すリンク品質値を取得することができ、リモートＵＥは候補目標セルにおける候補目標中継ＵＥとそのサービング基地局との間のリンク品質を示すリンク品質値を取得し、リモートＵＥと候補目標セルにおける候補目標中継ＵＥとの間のリンク品質を示すリンク品質値と、候補目標セルにおける候補目標中継ＵＥとそのサービング基地局との間のリンク品質を示すリンク品質値と、オフセット値に基づいて目標中継ＵＥを選択することができる。例えば、リモートＵＥは候補目標セルに対応するオフセット値と、リモートＵＥと候補目標セルにおける候補目標中継ＵＥとの間のリンク品質値と、候補目標セルにおける候補目標中継ＵＥとそのサービング基地局との間のリンク品質値を加算して、調整リンク品質値を取得し、調整リンク品質値に基づいて中継再選択プロセスを実行する。
【００６８】
ここで、リモートＵＥはリモートＵＥと全ての候補目標セルにおける候補目標ＵＥとの間のＰＣ５リンクの品質を測定し、候補目標セルにおける候補目標中継ＵＥは候補目標中継ＵＥとそのサービング基地局との間のＵｕリンクの品質を測定し、これらの両方と候補目標セルに対応するオフセット値を加算して調整リンク品質値を取得し、全ての候補目標セルから調整リンク品質値が最も大きいセルを目標中継ＵＥとして選択することができる。
【００６９】
上記の方法三によれば、オフセット値、ＰＣ５リンクの品質及びＵｕリンクの品質を総合的に考慮するので、さらに正確になる。
【００７０】
なお、上記の３つの目標中継ＵＥを確定する方法は別々又は組み合わせて使用することができる。例えば、方法一を使用してアクセス条件を満たす目標中継ＵＥが見つからなかった場合に、方法二又は方法三を使用して目標中継ＵＥを探し続ける。
【００７１】
本発明の実施例によれば、オフセット値がＴＴＴの長さ又は隣接セル受信信号品質に比例し、リモートＵＥはオフセット値に基づいて目標中継ＵＥを確定するので、リモートＵＥによって確定される目標中継ＵＥがソース中継ＵＥがまもなく切り替えられるセルに位置する確率が大幅に増加することで、ソース中継ＵＥが切り替えプロセスを完了した後、Ｘ２インターフェースを介してリモートＵＥのコンテキスト情報を伝送する必要がなくなり、シグナリングオーバーヘッドを節約し、切り替えフローを簡素化する。
【００７２】
図５は、本開示の実施例による無線通信システムにおける電子装置がリモートユーザー装置を支援して中継再選択を行うシグナリング伝達を示すフローチャートである。図５に示すように、リモートＵＥはＰＣ５リンクの品質を測定してソース中継ＵＥにレポートする。ソース中継ＵＥはＵｕリンクの品質を測定して、その後、シーン識別を行い、中継再選択プロセスをトリガーするかどうかを判断する。次に、中継再選択プロセスをトリガーする必要がある場合、ソース中継ＵＥは中継再選択トリガー情報とシーン情報をリモートＵＥに通知する。次に、ソース中継ＵＥが切り替えを実行しようとしている第１のシーンにある場合、ソース中継ＵＥはユーザー装置に対して候補目標セルを確定し、候補目標セルのそれぞれにオフセット値を設置する。次に、ソース中継ＵＥは候補目標セルのセルＩＤ及び対応するオフセット値をリモートＵＥに送信する。次に、リモートＵＥは中継発見のプロセスを実行する。目標中継ＵＥ１とＵＥ３を例として、モードＡでは、リモートＵＥは発見情報を監視し、目標中継ＵＥ１とＵＥ３はリモートＵＥへ発見シグナリングを送信し、リモートＵＥはＵＥ１とＵＥ３へセルＩＤ公告リクエストを送信し、ＵＥ１とＵＥ３はリモートＵＥへセルＩＤ公告応答を送信し、モードＢでは、リモートＵＥはＵＥ１とＵＥ３へ中継要求情報とセルＩＤ公告リクエストを送信して、その後、発見情報を監視し、ＵＥ１とＵＥ３はリモートＵＥへ発見情報とセルＩＤ公告応答を送信する。次に、リモートＵＥはオフセット値に基づいて中継再選択のプロセスを実行し、ここで、ｅＮＢ２はｅＮＢ３よりもＴＴＴ長さが長く、又はｅＮＢ２はｅＮＢ３よりも受信信号品質が大きいため、ｅＮＢ２のオフセット値はｅＮＢ３のオフセット値よりも大きく、リモートＵＥはＵＥ１を最終的な目標中継ＵＥとして選択する可能性が大きい。次に、ｅＮＢ１はｅＮＢ２へリモートＵＥのコンテキストを送信し、フローが終了する。
【００７３】
本開示の実施例によれば、第２のリンク情報が電子装置２００と基地局との間のリンク品質が第２の閾値より小さいことを指示する場合に、処理回路２１０はさらに、電子装置２００の速度調整係数を取得して、ユーザー装置のヒステリシスパラメータを調整するようにユーザー装置に通知するという動作を実行するように配置されている。
【００７４】
ＬＴＥシステムにおいて、切り替えをトリガーするイベントは一般的に、高速フェージングの変化によるリンク品質の瞬間的な増加または減少を防ぐように、一定のヒステリシス効果を必要とする。また、異なるユーザーのサービスの連続性を保証するために、ヒステリシス係数は一定ではない。ＬＴＥネットワークにおいて、モビリティ管理メカニズムが、異なるユーザ速度に対して異なるヒステリシス係数を設置し、且つ、速度調整係数ｓｐｅｅｄｓｔａｔｅｓｃａｌｅｆａｃｔｏｒによって、ヒステリシス係数の影響を調整する。Ｓｐｅｅｄｓａｔｅｓｃａｌｅｆａｃｔｏｒは、３ＧＰＰ  ＴＳ３６．３００において次のように定義されている。
【００７５】
ＳｐｅｅｄＳｔａｔｅＳｃａｌｅＦａｃｔｏｒｓ  ｉｎｆｏｒｍａｔｉｏｎ  ｅｌｅｍｅｎｔ
【００７６】
−−  ＡＳＮ１ＳＴＡＲＴ
【００７７】
ＳｐｅｅｄＳｔａｔｅＳｃａｌｅＦａｃｔｏｒｓ  ：：＝  ＳＥＱＵＥＮＣＥ  ｛
【００７８】
ｓｆ−Ｍｅｄｉｕｍ  ＥＮＵＭＥＲＡＴＥＤ  ｛ｏＤｏｔ２５，  ｏＤｏｔ５，  ｏＤｏｔ７５，  ｌＤｏｔ０｝，
【００７９】
ｓｆ−Ｈｉｇｈ  ＥＮＵＭＥＲＡＴＥＤ  ｛ｏＤｏｔ２５，  ｏＤｏｔ５，  ｏＤｏｔ７５，  ｌＤｏｔ０｝
【００８０】
｝
【００８１】
−−  ＡＳＮ１ＳＴＯＰ
【００８２】
本発明の実施例によれば、リモートＵＥは中継ＵＥを介して基地局との間の通信を行うため、リモートＵＥのサービス品質はＰＣ５とＵｕの２つのリンクの品質によって決定され、どのリンク品質が低下してもリモートＵＥに中継再選択のプロセスを実行するようにトリガーするので、単純に中継ＵＥ又はリモートＵＥの移動速度によってヒステリシス係数を調整することはもはや合理的ではない。本発明の実施例によれば、異なるシーンに基づいてリモートＵＥに対して異なる調整パラメータを配置してヒステリシス係数を調整することによって、サービスの連続性を改善する。
【００８３】
本発明の実施例によれば、第２のリンク情報が電子装置２００と基地局との間のリンク品質が第２の閾値より小さいことを指示する場合に、電子装置２００はその速度調整係数をリモートＵＥに通知して、電子装置２００の速度調整係数によってリモートＵＥのヒステリシス係数を調整するようにリモートＵＥに通知する。ここで、速度調整係数は候補目標セルＩＤ及びオフセット値と合成して一緒にリモートＵＥに送信してもよく、候補目標セルＩＤ及びオフセット値とは別々にリモートＵＥに送信してもよい。
【００８４】
本発明の実施例によれば、リモートＵＥは中継ＵＥの速度調整係数を受信した後、リモートＵＥと中継ＵＥとの間のリンク品質の変化率を示すリンク変化情報を取得し、中継ＵＥの速度調整係数及び／又はリンク変化情報に基づいてリモートＵＥのヒステリシスパラメータを調整することができる。
【００８５】
本開示の実施例によれば、リモートＵＥはリモートＵＥと中継ＵＥとの間のＰＣ５リンク品質を測定して、ＰＣ５リンク品質の変化率を確定することができる。ここで、リモートＵＥは下述した方法によってＰＣ５リンク品質の変化率を確定することができる。Ｎ１（Ｎ１が自然数である）個のΔＲＳＲＰＳＰＣ５＞ｔｈｒｅｓｈｏｌｄ１のイベントが連続的に発生する場合に、リモートＵＥはＰＣ５リンク品質の変化率が大きいことを確定し、Ｎ２（Ｎ２が自然数である）個のΔＲＳＲＰＳＰＣ５＜ｔｈｒｅｓｈｏｌｄ２のイベントが連続的に発生する場合に、リモートＵＥはＰＣ５リンク品質の変化率が小さいことを確定し、上記の２種類のイベントとも発生していない場合に、リモートＵＥはＰＣ５リンク品質の変化率が前回の結果と同じであると確定する。その中、ΔＲＳＲＰＳＰＣ５は隣接する２回のＰＣ５リンク品質の測定結果の差を表し、ｔｈｒｅｓｈｏｌｄ１とｔｈｒｅｓｈｏｌｄ２はΔＲＳＲＰＳＰＣ５の閾値を表す。上記の２種類のイベントとも発生していない場合に、ＰＣ５リンク品質の変化率が前回の判定結果と同じであると判定する。ＰＣ５リンク品質の変化率はリモートＵＥと中継ＵＥとの間の相対速度を反映している。
【００８６】
本開示の実施例によれば、リモートＵＥは下述した方法によってリモートＵＥのヒステリシスパラメータを調整することができる。ＰＣ５リンク品質が良好であって、Ｕｕリンク品質が悪い場合に、主にＵｕリンクによって中継再選択プロセスをトリガーし、即ち、ソース中継ＵＥのモビリティによって中継再選択プロセスをトリガーする。このような場合、リモートＵＥはソース中継ＵＥの速度調整係数によってリモートＵＥのヒステリシス係数を調整することができる。ここで、リモートＵＥは本分野における任意の公知の方法によってヒステリシスパラメータを調整し、例えば、中継ＵＥの速度調整係数をリモートＵＥのヒステリシスパラメータに乗算して調整されたヒステリシスパラメータとすることができる。Ｕｕリンク品質が良好であって、ＰＣ５リンク品質が悪い場合に、主にＰＣ５リンクによって中継再選択プロセスをトリガーし、即ち、ソース中継ＵＥとリモートＵＥの相対移動によって中継再選択プロセスをトリガーする。このような場合に、リモートＵＥはＰＣ５リンク品質の変化率によってリモートＵＥのヒステリシス係数を調整することができる。ＵｕリンクとＰＣ５リンクの品質とも悪い場合に、リモートＵＥはソース中継ＵＥの速度調整係数及びＰＣ５リンク品質の変化率の両方によってヒステリシス係数を調整することができる。
【００８７】
本発明の実施例によれば、単純に中継ＵＥ又はリモートＵＥの移動速度によってリモートＵＥのヒステリシス係数を調整するのではなく、異なるシーンによってリモートＵＥに対して異なる調整パラメータを配置してヒステリシス係数を調整することで、調整の正確性を向上させ、サービスの連続性を改善することができる。
【００８８】
前に述べるように、ソース中継ＵＥが切り替えを完了した後、リモートＵＥは再度、元のソース中継ＵＥを再選択する可能性が高い。そのため、余分なシグナリングオーバーヘッドを避けるために、切り替えプロセスを実行した後、電子装置２００の処理回路２１０はリモートＵＥへ送信する切り替え指示情報を生成してもよい。また、リモートＵＥ側では、リモートＵＥが目標中継ＵＥと接続を確立した時からタイミングを開始するように配置されているタイマーＴｂｍｂを維持することができ、ソース中継ＵＥが切り替えを完了するプロセスにおいて、リモートＵＥがソース中継ＵＥとの接続を切断せず、即ち、その時にリモートＵＥは「二重接続」の状態にある。タイマーが満了した又はリモートＵＥがソース中継ＵＥから切り替え指示情報を受信した後、リモートＵＥは最終的な中継リンク接続を再選択し、即ち、リモートＵＥは選択的にソース中継ＵＥ又は目標中継ＵＥとの接続を切断する。リモートＵＥがソース中継ＵＥとの接続の切断を選択すると、目標中継ＵＥを介して基地局と通信し、リモートＵＥが目標中継ＵＥとの接続の切断を選択すると、ソース中継ＵＥを介して基地局と通信する。
【００８９】
タイマーＴｂｍｂの作用はソース中継ＵＥが切り替えを完了する前にリモートＵＥがソース中継ＵＥとの接続を切断しないことを保証することであるので、タイマーＴｂｍｂの継続時間の設置は切り替えプロセスに要する時間と密接に相関する。
【００９０】
図６は、本開示の実施例によるＡ３イベントに基づく切り替えプロセスを示す模示図である。図６に示すように、Ａ３イベントのエントリー条件を満たす場合に、トリガー遅延ＴＴＴ及び切り替え準備時間を経過した後、切り替えの実行を開始し、切り替え実行時間を経過した後、切り替えが完了する。ＴＴＴの値は基地局によって異なるパラメータに基づいて配置され、切り替え準備時間は約４０ｍｓであり、切り替え実行時間は約５０ｍｓである。そのため、リモートＵＥは下記の式によってタイマーＴｂｍｂの継続時間を確定する。
【００９１】
【数１】
2018533311.tif 000005
【００９２】
なお、Δはマージンを表し、タイマーＴｂｍｂが満了する前に切り替えプロセスが完了することを保証するように、システムの実際の状況によって設置することができる。
【００９３】
本発明の実施例によれば、処理回路２１０は、さらに、切り替えプロセスを実行し、切り替えプロセスの実行結果を示す切り替え指示情報を生成して、最終的な中継リンク接続を選択するようにユーザー装置に通知するという動作を実行するように配置されている。前に述べるように、ソース中継ＵＥが切り替えを完了する前に、リモートＵＥはソース中継ＵＥ及び目標中継ＵＥと接続状態にあるので、電子装置２００が生成した切り替え指示情報は最終的な中継リンク接続を選択するように、ユーザー装置がどの中継ＵＥとの接続を切断するかを決定するのを支援する。
【００９４】
本開示の実施例によれば、電子装置２００がリモートＵＥに送信する切り替え指示情報には、切り替えプロセス成功、即ち、切り替え完了又はＲＲＣ再確立完了が含まれてもよい。
【００９５】
図７は、本開示の実施例によるリモートユーザー装置が最終的な中継リンクを確定し、中継ユーザー装置が高速無線リンク回復を行うプロセスを示す模示図である。
【００９６】
図７に示すように、Ｔｂｍｂ実行期間に、リモートＵＥがソース中継ＵＥから切り替え完了又はＲＲＣ再確立完了の切り替え指示情報を受信し、且つ、切り替え指示メッセージにソース中継ＵＥの目標セルＩＤが含まれる場合、リモートＵＥは当該ソース中継ＵＥの目標セルＩＤを取得し、ソース中継ＵＥの目標セルＩＤを目標中継ＵＥによってサービングされるセルＩＤと比較する。
【００９７】
次に、ソース中継ＵＥの目標セルＩＤが目標中継ＵＥによってサービングされるセルＩＤと同じである場合、ソース中継ＵＥとリモートＵＥが同じ目標セルのカバレッジに移動し、それらのコンテキストが同じ基地局に記憶されることを表す。次に、タイマーＴｂｍｂが満了する前の期間には、リモートＵＥはリモートＵＥとソース中継ＵＥとの間のリンク品質を再測定し、更新された第１のリンク情報を取得し、リモートＵＥとソース中継ＵＥとの間のリンク品質が常に所定の閾値より大きい場合、リモートＵＥとソース中継ＵＥとの間のリンクが良好であることを表し、タイマーＴｂｍｂが満了した後、リモートＵＥは目標中継ＵＥとの接続を切断し、ソース中継ＵＥを介して基地局と通信し、ソース中継ＵＥとリモートＵＥとの間のリンク品質が常に所定の閾値より大きくない場合、ソース中継ＵＥとリモート  ＵＥとの間のリンクが悪いことを表し、リモートＵＥはソース中継ＵＥとの接続を切断し、目標中継ＵＥを介して基地局と通信する。
【００９８】
逆に、ソース中継ＵＥの目標セルＩＤが目標中継ＵＥが位置するセルＩＤと異なる場合に、ソース中継ＵＥとリモートＵＥのコンテキストが異なる基地局に記憶されることを表し、Ｔｂｍｂが満了することを待つ必要がなく、リモートＵＥはソース中継ＵＥとの接続を直接に切断し、目標中継ＵＥを介して基地局と通信する。
【００９９】
また、Ｔｂｍｂが満了する時に、リモートＵＥが依然として何れの切り替え指示情報も受信していない場合、リモートＵＥはソース中継ＵＥとの接続を直接に切断し、目標中継ＵＥを介して基地局と通信する。
【０１００】
本発明の実施例によれば、切り替え完了又はＲＲＣ再確立完了の切り替え指示情報によって、リモートＵＥはソース中継ＵＥとのリンク及び目標中継ＵＥとのリンクからもっと適切なリンク接続を選択して、よりよいサービス品質が得られる。
【０１０１】
しかしながら、ソース中継ＵＥの切り替えプロセスは、必ずしも成功するものではなく、ソース中継ＵＥの切り替えプロセスが失敗すれば、リモートＵＥへ切り替え指示情報を送信してもよい。つまり、電子装置２００がリモートＵＥに送信する切り替え指示情報は切り替えプロセス失敗を含んでもよい。
【０１０２】
ＬＴＥ−Ａシステムでは、無線リンク障害は「物理層割込み」と見なすことができる。ＵＥはＣＲＳ（ｃｅｌｌ−ｓｐｅｃｉｆｉｃ  Ｒｅｆｅｒｅｎｃｅ  Ｓｉｇｎａｌ，セル固有の基準信号）によってチャネル品質を推定し、予め設けられた参考閾値Ｑｏｕｔ、Ｑｉｎと比較する。測定値がＱｏｕｔよりも低い場合、ＵＥは現在のリンクが同期外れ状態（Ｏｕｔ−ｏｆ−ｓｙｎｃ）にあると確定し、測定値がＱｉｎよりも高い場合、ＵＥは現在のリンクが同期状態（Ｉｎ−ｓｙｎｃ）にあると確定する。ＵＥが現在リンクが同期外れ状態にあると確定した場合に、Ｔ３１０カウンターをトリガーし、Ｔ３１０カウンターの実行期間には、同期イベント（Ｉｎ−ｓｙｎｃ）が発生せず、ＵＥは、ＲＬＦ（Ｒａｄｉｏ  Ｌｉｎｋ  Ｆａｉｌｕｒｅ、無線リンク障害）の発生を通知し、当該イベントを基地局にレポートする。Ｔ３１０タイマーは一般的に１ｓに設置され、Ｌ３（レイヤー３）フィルターの周期は２００ｍｓであり、これにより、同期外れイベントが５回発生した後に限り、ＵＥはＲＬＦイベントをレポートし、これは、「早期」のＲＬＦを防止しつつ割り込み時間を増加させる。一方、ＲＬＦが発生した後、ＵＥはＲＲＣ再確立プロセスを開始する。ソースセルがＵＥに切り替えの必要があると判定し、且つ、ソースセルがＵＥのコンテキストを目標セルに送信する場合に限り、ＵＥと目標セルとのＲＲＣ接続再確立プロセスの実行が成功する可能性がある。このような従来のＲＲＣ再確立プロセスの時間が長いため、ＵＥと基地局との間の割り込み時間が長くなって、システムのパフォーマンスとユーザー体験に影響する。
【０１０３】
上記の技術的問題を解決するために、本開示は、１つの「Ｐｒｅ−ＲＬＦ」イベントと１つのソース中継ＵＥ側でメンテナンスするカウンターＴＲＬＦを定義している。ここで、カウンターＴＲＬＦは、同期外れイベントが連続的に発生する回数をカウントするためのものである。カウンターＴＲＬＦのカウント規則は、表３に示すように、同期イベントが発生するたびに、カウンターＴＲＬＦがリセットされ、同期外れイベントが発生するたびに、カウンターＴＲＬＦがインクリメントされる。
【０１０４】
【表３】
2018533311.tif 000006
【０１０５】
本開示の実施例によれば、カウンターＴＲＬＦの値がＮ５（１＜Ｎ５＜５）に達する時に、「Ｐｒｅ−ＲＬＦ」イベントが発生すると定義する。ここで、Ｎ５は、基地局によって配置されてソース中継ＵＥに送信するか、又は、ソース中継ＵＥが自身の速度調整係数によって配置することができる。
【０１０６】
本開示の実施例によれば、切り替え指示情報が切り替えプロセスの実行が失敗したことを指示する場合に、処理回路２１０はさらに、中継再選択プロセスを実行した後にユーザー装置へサービスを提供する最終的な目標セルのセル識別子を取得し、最終的な目標セルが実行されているＡ３イベントを既に引き起こしたトリガー時間ＴＴＴを確定して、切り替えプロセスが失敗したことと最終的な目標セルのセル識別子を基地局に通知し、最終的な目標セルが引き起こした実行されているＡ３イベントのトリガー時間ＴＴＴが満了する時に、電子装置２００が最終的な目標セルに接続するように、無線リンク回復プロセスを行うという動作を実行するように配置されている。
【０１０７】
本開示の実施例によれば、ソース中継ＵＥが生成した切り替え指示情報は、「Ｐｒｅ−ＲＬＦ」イベントの発生、即ち、切り替えプロセスが失敗したことを指示するための「Ｐｒｅ−ＲＬＦ」指示を含んでもよい。図７に示すように、Ｔｂｍｂ実行期間には、リモートＵＥがソース中継ＵＥが送信した「Ｐｒｅ−ＲＬＦ」指示を受信した場合、目標中継ＵＥの属するセルのＩＤをソース中継ＵＥにレポートする。次に、ソース中継ＵＥは、当該目標中継ＵＥの属するセルがＴＴＴをトリガーしたかどうかを判断し、目標中継ＵＥの属するセルがＴＴＴをトリガーした場合、ソース中継ＵＥがまもなく目標中継ＵＥの属するセルに切り替えることを示し、すると、ソース中継ＵＥは「Ｐｒｅ−ＲＬＦ」指示及び目標中継ＵＥの属するセルのＩＤをソース中継ＵＥのサービング基地局に送信する。次に、ソース中継ＵＥのサービング基地局がソース中継ＵＥのコンテキストを目標中継ＵＥの属するセルに伝送し、ＴＴＴが満了する時に、ソース中継ＵＥは、高速無線リンク回復を行って、当該目標セルに再接続する。目標中継ＵＥの属するセルがＴＴＴをトリガーしていない場合、ソース中継ＵＥは従来の切り替えプロセスを実行し続ける。
【０１０８】
このような方式によって、ソース中継ＵＥは、目標セルへの高速ＲＲＣ再確立を行うことができ、ＲＲＣ再確立の時間が短縮されて、中断時間が低減され、システムのパフォーマンスを向上させる。
【０１０９】
前に述べたように、ＲＳＲＰＳＰＣ５＞ｔｈｒｅｓｈｏｌｄ１且つＲＳＲＰＵｕ＜ｔｈｒｅｓｈｏｌｄ２且つΔＲＳＲＰｎ−ΔＲＳＲＰＳ＜ｔｈｒｅｓｈｏｌｄ３である場合に、確定ユニット２１２は、電子装置２００が中継選択プロセスを実行しようとしている第２のシーンにあることを確定することができる。このようなシーンにおいて、電子装置２００はリモートＵＥへオフセット値を送信することもでき、その時、オフセット値が「空」である。
【０１１０】
このようなシーンにおいて、ソース中継ＵＥとリモートＵＥとの間のＰＣ５リンクの品質が良好であることは、ソース中継ＵＥとリモートＵＥとの間の距離が近いことを示すので、リモートＵＥが中継再選択を行う目標中継ＵＥはソース中継ＵＥに比較的に近い。つまり、ソース中継ＵＥが中継選択を行う目標中継ＵＥは、リモートＵＥが中継再選択を行う目標中継ＵＥである可能性が高い。このような場合に、ソース中継ＵＥが従来の中継選択プロセスを行う場合、大量の測定プロセスが発生して、長い時間がかかる。しかしながら、リモートＵＥがソース中継ＵＥを支援してリモートＵＥの目標中継ＵＥへアクセスすることができる場合、多くの時間とオーバーヘッドを節約することができる。
【０１１１】
本発明の実施例によれば、電子装置２００の処理回路２１０は、さらに、リモートＵＥが中継再選択プロセスを実行した後に得られる目標中継ＵＥに関する目標中継情報を取得し、中継選択プロセスを実行するという動作を実行するように配置され、中継選択プロセスを実行する時に、処理回路２１０はさらに、目標中継情報が指示する目標中継ＵＥの発見メッセージを優先的に傍受し、目標中継ＵＥと電子装置２００との間のリンク品質が所定の閾値よりも大きいことを確定し、目標中継ＵＥと電子装置２００との間の中継接続を確立する、という動作を実行するように配置されている。
【０１１２】
本発明の実施例によれば、リモートＵＥは、ソース中継ＵＥの中継選択プロセス実行を支援するように、中継再選択プロセスを実行した後の目標中継ＵＥ情報をソース中継ＵＥに送信し、ソース中継ＵＥが目標中継ＵＥ情報を取得した後、中継選択の実行中において、ソース中継ＵＥが当該目標中継ＵＥの発見メッセージを優先的に傍受し、ソース中継ＵＥと当該目標中継ＵＥとの間のＰＣ５リンクの品質が良好である場合、ソース中継ＵＥは当該目標中継ＵＥとの接続を確立する。
【０１１３】
本発明の実施例によれば、２つ以上のリモートＵＥがソース中継ＵＥに接続される場合に、これらの２つ以上のリモートＵＥが中継再選択プロセスを実行した後、その目標中継ＵＥの情報をソース中継ＵＥに送信することができる。次に、ソース中継ＵＥは２つ以上のリモートＵＥによって送信される目標中継ＵＥ情報のうち重複した中継ＵＥを選択して優先的に傍受するか、又は、ソース中継ＵＥは２つ以上のリモートＵＥによって送信される目標中継ＵＥ情報から１つの中継ＵＥをランダムに選択して優先的に傍受することができる。
【０１１４】
本発明の実施例によれば、ソース中継ＵＥが中継選択を行う時に、リモートＵＥによって再選択された目標中継ＵＥを優先的に傍受して、ソース中継ＵＥの中継選択プロセスを大幅に簡素化し、時間及びシグナリングのオーバーヘッドを節約し、システムのパフォーマンスを向上させることができる。
【０１１５】
一方、各ソース中継ＵＥ及びリモートＵＥが同じ目標中継ＵＥにアクセスする場合、目標中継ＵＥの負荷が非常に大きく、それ自体のサービス品質に影響するだけでなく、リモートＵＥのサービス品質にも影響を及ぼす。この技術問題を解決するために、本発明の実施例によれば、目標中継ＵＥ側は、目標中継ＵＥに現在アクセスしているリモートＵＥの数を示すための負荷率を維持することができる。
【０１１６】
本発明の実施例によれば、目標中継ＵＥと電子装置２００との間のリンク品質が所定の閾値よりも大きいことを確定する前に、処理回路２１０は、さらに、目標中継情報が指示する目標中継ＵＥの負荷率が所定の数よりも小さいことを確定する、という動作を実行するように配置されている。
【０１１７】
ここで、目標中継ＵＥの負荷率が所定の数よりも小さい場合に、ソース中継ＵＥが当該目標中継ＵＥにアクセスすることを許可し、目標中継ＵＥの負荷率が所定の数よりも大きい場合、ソース中継ＵＥが当該目標中継ＵＥにアクセスすることを拒否する。
【０１１８】
図８は、本開示の実施例による目標中継ユーザー装置の負荷状況によってリモートユーザー装置の中継再選択のプロセスを確定する模示図である。図８に示すように、ソース中継ＵＥは目標中継ＵＥの負荷率が含まれる目標中継ＵＥの情報を取得することができる。次に、ソース中継ＵＥが負荷率が所定の数よりも小さいことを確定した場合に、ソース中継ＵＥは目標中継ＵＥとの間のＰＣ５リンクの品質を測定し、ソース中継ＵＥと目標中継ＵＥとの間のＰＣ５リンクの品質がアクセス条件を満す場合に、ソース中継ＵＥは目標中継ＵＥとの接続を確立する。ソース中継ＵＥが、負荷率が所定の数よりも大きいことを確定した場合に、当該目標中継ＵＥにアクセスせず、従来の中継選択プロセスを実行する。
【０１１９】
本発明の実施例によれば、負荷率によって目標中継ＵＥに接続されるリモートＵＥの数を効果的に制御して、目標中継ＵＥが過負荷になってサービス品質を影響することを避けることができる。
【０１２０】
本開示の他の実施例によれば、ソース中継ＵＥは、オフセット値を使用してソース中継ＵＥが位置するシーンを表すことができる。この実施例において、ソース中継ＵＥは隣接セルのＴＴＴ長さ又は受信信号品質情報を周期的又はイベント的に監視し、例えば前述の方法によって候補目標セルにオフセット値を設置することができる。さらに、ソース中継ＵＥは、候補目標セル及びその対応するオフセット値を更新し、即ち、毎回、新たに生成された候補目標セル及びその対応するオフセット値を、前回に生成された候補目標セル及びその対応するオフセット値の代わりに使用することができる。ソース中継ＵＥが切り替えプロセスを実行する必要がある場合に、直前に生成された候補目標セル及びその対応するオフセット値をリモートＵＥに送信する。つまり、ソース中継ＵＥが、切り替えプロセスを実行しようとしていることを確定した場合に、リモートＵＥへシーン情報を送信せず、候補目標セル及びその対応するオフセット値を直接に送信し、ソース中継ＵＥが、中継選択プロセスを実行しようとしていることを確定した場合に、リモートＵＥへシーン情報を送信せず、内容が「空」であるオフセット値を直接に送信することができる。リモートＵＥ側では、リモートＵＥがソース中継ＵＥから候補目標セルのオフセット値を受信した場合に、ソース中継ＵＥが切り替えプロセスを実行しようとしていることを確定することができ、リモートＵＥがソース中継ＵＥから内容が「空」であるオフセット値を受信した場合に、ソース中継ＵＥが中継選択プロセスを実行しようとしていることを確定することができる。
【０１２１】
本開示のこの実施例によれば、オフセット値の内容によってソース中継ＵＥが位置するシーンを確定して、シグナリングのオーバーヘッドを節約することができる。
【０１２２】
図９は、本開示の他の実施例による無線通信システムにおける電子装置の構成を示すブロック図である。
【０１２３】
図９に示すように、電子装置９００は、処理回路９１０を含むことができる。なお、電子装置９００は１つの処理回路９１０を含んでもよいし、複数の処理回路９１０を含んでもよい。また、電子装置９００はさらに送受信機のような通信ユニット９２０などを含んでもよい。
【０１２４】
前に述べるように、同様に、処理回路９１０は様々な個別の機能ユニットを含んで様々な異なる機能及び／又は動作を実行することができる。これらの機能ユニットは物理的又は論理的エンティティであってもよく、異なる呼称のユニットは同一の物理的エンティティによって実現することができる。
【０１２５】
例えば、図９に示すように、処理回路９１０は、監視ユニット９１１と、取得ユニット９１２と、中継再選択ユニット９１３とを含むことができる。
【０１２６】
監視ユニット９１１は、電子装置９００と無線通信システムにおける電子装置９００へ中継サービスを提供する中継ユーザー装置との間のリンク品質を監視することができる。
【０１２７】
取得ユニット９１２は、中継ユーザー装置が位置するシーンに関するシーン情報を取得する。
【０１２８】
中継再選択ユニット９１３は、シーン情報に基づいて中継再選択プロセスを実行する。
【０１２９】
本発明の実施例によれば、無線通信システムはＬＴＥ−Ａセルラー通信システムであって、電子装置９００は無線通信システムにおけるリモートＵＥである。
【０１３０】
好ましくは、シーン識別情報に基づいてシーン情報を確定し、シーン識別情報は、電子装置９００と中継ユーザー装置との間のリンク品質を示す第１のリンク情報、中継ユーザー装置と無線通信システムにおける電子装置９００へサービスを提供するサービングセルにおける基地局との間のリンク品質を示す第２のリンク情報、中継ユーザー装置が受信したサービングセル受信電力変化率情報及び隣接セル受信電力変化率情報を含む。
【０１３１】
好ましくは、シーン情報が、中継ＵＥが切り替えプロセスを実行しようとする第１のシーンに位置することを指示する場合に、処理回路９１０は、さらに、候補目標セルのセル識別子と候補目標セルのそれぞれに設置するオフセット値を取得し、オフセット値に基づいて候補目標セルから目標中継ＵＥを確定する、という動作を実行するように配置されている。
【０１３２】
好ましくは、処理回路９１０は、さらに、オフセット値の大きさに従って候補目標セルを降順に配列し、目標中継ＵＥを確定するまでに、順序に候補目標セルにおける候補目標中継ＵＥに対して中継再選択プロセスを実行する、という動作を実行するように配置されている。
【０１３３】
好ましくは、中継再選択プロセスを実行する場合に、処理回路９１０は、さらに、電子装置９００と候補目標セルにおける候補目標中継ＵＥとの間のリンク品質を示すリンク品質値を取得し、候補目標セルに対応するオフセット値を候補目標セルにおける候補目標中継ＵＥに対応するリンク品質値に加えて、調整リンク品質値を取得し、調整リンク品質値に基づいて中継再選択プロセスを実行する、という動作を実行するように配置されている。
【０１３４】
好ましくは、処理回路９１０はさらに、中継ＵＥの速度調整係数を取得し、速度調整係数に基づいてヒステリシスパラメータを調整する、という動作を実行するように配置されている。
【０１３５】
好ましくは、電子装置９００は、さらに、電子装置９００が目標中継ＵＥと接続を確立する時にタイミングを開始するように配置されているタイマーを含み、処理回路９１０は、さらに、タイマーが満了する時に、電子装置９００と目標中継ＵＥとの間の接続又は電子装置９００と中継ＵＥとの間の接続を切断するための命令を生成する、という動作を実行するように配置されている。
【０１３６】
好ましくは、通信ユニット９２０が中継ＵＥから切り替えプロセスの実行が成功したことを指示する切り替え指示情報を受信した場合に、処理回路９１０は、さらに、中継ＵＥの目標セルのセル識別子を取得し、中継ＵＥの目標セルのセル識別子と目標中継ＵＥのサービングセルのセル識別子を比較し、比較の結果が異なる時に、電子装置９００と中継ＵＥとの間の接続を直ちに切断し、比較の結果が同じである時に、タイマーが満了する前の期間に更新された第１のリンク情報を取得し、更新された第１のリンク情報が、更新された電子装置９００と中継ＵＥとの間のリンク品質が常に所定の閾値よりも大きいことを指示する場合に、タイマーが満了した後、電子装置９００と目標中継ＵＥとの間の接続を切断する、という動作を実行するように配置されている。
【０１３７】
好ましくは、通信ユニット９２０が中継ＵＥから切り替えプロセスの実行が失敗したことを指示する切り替え指示情報を受信した場合に、処理回路９１０は、さらに、中継ＵＥが目標中継ＵＥのサービングセルに接続するための無線リンク回復プロセスを実行するように、目標中継ＵＥのサービングセルのセル識別子を中継ＵＥに送信することを通信ユニット９２０に指示する、という動作を実行するように配置されている。
【０１３８】
好ましくは、シーン情報が、中継ＵＥが中継選択プロセスを実行しようとする第２のシーンに位置することを指示する場合に、処理回路９１０は、さらに、中継ＵＥを支援して中継選択プロセスを実行するように、中継再選択プロセスを実行した後に得られる目標中継ＵＥの目標中継情報を中継ＵＥに送信することを通信ユニット９２０に指示する、という動作を実行するように配置されている。
【０１３９】
以上のように、本開示の実施例によれば、ソース中継ＵＥは、それが位置するシーンに関するシーン情報をリモートＵＥに送信することができ、ソース中継ＵＥが切り替えを実行しようとする第１のシーンにおいて、ソース中継ＵＥは、リモートＵＥがソース中継ＵＥがまもなく切り替えられるセル内の中継ＵＥを目標中継ＵＥとして選択することができるように、隣接するセルに異なるオフセット値を配置してリモートＵＥに送信することもでき、これにより、Ｘ２インターフェースのオーバーヘッドが低減され、切り替えプロセスが簡素化される。さらに、リモートＵＥは、ヒステリシスパラメータの調整がもっと正確になるように、ソース中継ＵＥの速度調整係数及び／又はリモートＵＥとソース中継ＵＥとの間のリンク品質の変化率に基づいてリモートＵＥのヒステリシスパラメータを調整する。さらに、ソース中継ＵＥが切り替えを完了した後に、リモートＵＥへ切り替え指示情報を送信することができ、これにより、切り替えが成功する場合に、リモートＵＥはソース中継ＵＥと目標中継ＵＥの間で１つの適切な中継ＵＥを選択してアクセスし、切り替えが失敗する場合に、ソース中継ＵＥの高速ＲＲＣ再確立を実現して、中断時間を短縮することができる。また、ソース中継ＵＥが中継選択プロセスを実行しようとする第２のシーンにおいて、リモートＵＥによってソース中継ＵＥを支援して高速中継選択を実行し、中継選択プロセスを簡素化し、システムのシグナリングオーバーヘッドを低減することができる。
【０１４０】
次に、本開示の実施例による無線通信システムにおいて無線通信を行うための方法について図１０を参照して説明する。図１０は、本開示の実施例による無線通信方法のフローチャートを示した。
【０１４１】
図１０に示すように、まず、ステップＳ１０１０では、無線通信システムにおける中継ユーザー装置と無線通信システムにおけるリモートユーザー装置との間のリンク品質を示す第１のリンク情報、中継ユーザー装置と無線通信システムにおける中継ユーザー装置へサービスを提供するサービングセルにおける基地局との間のリンク品質を示す第２のリンク情報と、サービングセル受信電力変化率情報及び隣接セル受信電力変化率情報が含まれるシーン識別情報を取得する。
【０１４２】
そして、ステップＳ１０２０では、中継ユーザー装置が位置するシーンに関するシーン情報をシーン識別情報に基づいて確定してリモートユーザー装置に通知し、リモートユーザー装置を支援して中継再選択プロセスを実行するか、又は、中継ユーザー装置を支援して中継選択プロセスを実行する。
【０１４３】
好ましくは、第２のリンク情報が、中継ユーザー装置と基地局との間のリンク品質が第２の閾値よりも小さいことを指示する場合に、中継再選択トリガー情報を生成して、中継再選択プロセスを実行することをリモートユーザー装置に通知することを含む。
【０１４４】
好ましくは、第１のリンク情報が中継ユーザー装置とリモートユーザー装置との間のリンク品質が第１の閾値よりも大きいことを指示し、第２のリンク情報が中継ユーザー装置と基地局との間のリンク品質が第２の閾値よりも小さいことを指示し、且つ、隣接セル受信電力変化率情報が指示する隣接セル受信電力変化率とサービングセル受信電力変化率情報が指示するサービングセル受信電力変化率との差が第３の閾値よりも大きい場合に、中継ユーザー装置が切り替えプロセスを実行しようとすることを確定する。
【０１４５】
好ましくは、方法は、さらに、実行されているＡ３イベントのトリガー時間ＴＴＴの長さを示すＴＴＴ長さ情報又は隣接セル受信信号品質情報を取得し、ＴＴＴ長さ情報又は隣接セル受信信号品質情報に基づいて、リモートユーザー装置に対して候補目標セルを確定し、候補目標セルのそれぞれにオフセット値を設置し、リモートユーザー装置を支援して、中継再選択プロセスを実行した後にリモートユーザー装置へサービスを提供する最終的な目標セルを選択することを含む。
【０１４６】
好ましくは、ＴＴＴ長さ情報又は隣接セル受信信号品質情報によって候補目標セルのオフセット値を取得する。
【０１４７】
好ましくは、方法は、さらに、第２のリンク情報が、中継ユーザー装置と基地局との間のリンク品質が第２の閾値よりも小さいことを指示する場合に、中継ユーザー装置の速度調整係数を取得して、リモートユーザー装置のヒステリシスパラメータを調整するようにリモートユーザー装置に通知することを含む。
【０１４８】
好ましくは、方法は、さらに、切り替えプロセスを実行し、切り替えプロセスの実行の結果を示す切り替え指示情報を生成して、最終的な中継リンク接続を選択するようにリモートユーザー装置に通知することを含む。
【０１４９】
好ましくは、方法は、さらに、切り替え指示情報が、切り替えプロセスの実行が失敗したことを指示する場合に、中継再選択プロセスを実行した後にリモートユーザー装置へサービスを提供する最終的な目標セルのセル識別子を取得し、最終的な目標セルが実行されているＡ３イベントを既に起こしたトリガー時間ＴＴＴを確定して、切り替えプロセスが失敗することと最終的な目標セルのセル識別子を基地局に通知し、最終的な目標セルが起こした実行されているＡ３イベントのトリガー時間ＴＴＴが満了する時に、中継ユーザー装置が最終的な目標セルに接続されるように、無線リンク回復プロセスを実行することを含む。
【０１５０】
好ましくは、第１のリンク情報が中継ユーザー装置とリモートユーザー装置との間のリンク品質が第１の閾値より大きいことを指示し、第２のリンク情報が中継ユーザー装置と基地局との間のリンク品質が第２の閾値より小さいことを指示し、且つ、隣接セル受信電力変化率情報が指示する隣接セル受信電力変化率とサービングセル受信電力変化率情報が指示するサービングセル受信電力変化率との差が第３の閾値より小さい場合に、中継ユーザー装置が中継選択プロセスを実行しようとすることを確定する。
【０１５１】
好ましくは、方法は、さらに、リモートユーザー装置が中継再選択プロセスを実行した後に得られる目標中継ユーザー装置に関する目標中継情報を取得し、中継選択プロセスを実行することを含み、中継選択プロセスを実行することは、目標中継情報が指示する目標中継ユーザー装置の発見メッセージを優先的に傍受し、目標中継ユーザー装置と中継ユーザー装置との間のリンク品質が所定の閾値より大きいことを確定し、目標中継ユーザー装置と中継ユーザー装置との間の中継接続を確立することを含む。
【０１５２】
好ましくは、目標中継ユーザー装置と中継ユーザー装置との間のリンク品質が所定の閾値より大きいことを確定する前に、方法は、さらに、目標中継情報が指示する目標中継ユーザー装置の負荷率が所定の数より小さいことを確定し、負荷率が目標中継ユーザー装置に現在アクセスしているリモートユーザー装置の数を示すことを含む。
【０１５３】
好ましくは、無線通信システムは、ロングタームエボリューションアドバンストＬＴＥ−Ａセルラー通信システムである。
【０１５４】
次に、本開示の他の実施例による無線通信システムにおいて無線通信を行うための方法について図１１を参照して説明する。図１１は、本開示の他の実施例による無線通信方法のフローチャートを示した。
【０１５５】
図１１に示すように、まず、ステップＳ１１１０では、リモートユーザー装置と無線通信システムにおけるリモートユーザー装置へ中継サービスを提供する中継ユーザー装置との間のリンク品質を監視する。
【０１５６】
次に、ステップＳ１１２０では、中継ユーザー装置が位置するシーンに関するシーン情報を取得する。
【０１５７】
次に、ステップＳ１１３０では、シーン情報に基づいて中継再選択プロセスを実行する。
【０１５８】
好ましくは、シーン識別情報に基づいてシーン情報を確定し、シーン識別情報は、リモートユーザー装置と中継ユーザー装置との間のリンク品質を示す第１のリンク情報、中継ユーザー装置と無線通信システムにおけるリモートユーザー装置へサービスを提供するサービングセルにおける基地局との間のリンク品質を示す第２のリンク情報、中継ユーザー装置が受信したサービングセル受信電力変化率情報及び隣接セル受信電力変化率情報を含む。
【０１５９】
好ましくは、方法は、さらに、シーン情報が、中継ユーザー装置が切り替えプロセスを実行しようとする第１のシーンに位置することを指示する場合に、リモートユーザー装置が候補目標セルのセル識別子と候補目標セルのそれぞれに設置したオフセット値を取得し、オフセット値に基づいて候補目標セルから目標中継ユーザー装置を確定することを含む。
【０１６０】
好ましくは、方法は、さらに、オフセット値の大きさに従って候補目標セルを降順で配列し、目標中継ユーザー装置を確定するまでに、順序に候補目標セルにおける候補目標中継ユーザー装置に対して中継再選択プロセスを実行することを含む。
【０１６１】
好ましくは、中継再選択プロセスを実行することは、リモートユーザー装置と候補目標セルにおける候補目標中継ユーザー装置との間のリンク品質を示すリンク品質値を取得し、候補目標セルに対応するオフセット値を候補目標セルにおける候補目標中継ユーザー装置に対応するリンク品質値に加えて調整リンク品質値を取得し、調整リンク品質値に基づいて中継再選択プロセスを実行することを含む。
【０１６２】
好ましくは、方法は、さらに、中継ユーザー装置の速度調整係数を取得し、速度調整係数に基づいてリモートユーザー装置のヒステリシスパラメータを調整することを含む。
【０１６３】
好ましくは、リモートユーザー装置は、リモートユーザー装置が目標中継ユーザー装置と接続を確立する時にタイミングを開始するように配置されているタイマーを含み、また、方法は、さらに、タイマーが満了する時に、リモートユーザー装置と目標中継ユーザー装置との間の接続又はリモートユーザー装置と中継ユーザー装置との間の接続を切断するための命令を生成することを含む。
【０１６４】
好ましくは、方法は、さらに、中継ユーザー装置から切り替えプロセスの実行が成功したことを指示する切り替え指示情報を受信した場合に、中継ユーザー装置の目標セルのセル識別子を取得し、中継ユーザー装置の目標セルのセル識別子と目標中継ユーザー装置のサービングセルのセル識別子を比較し、比較の結果が異なる場合に、リモートユーザー装置と中継ユーザー装置との間の接続を直ちに切断し、比較の結果が同じである場合に、タイマーが満了する前の期間に、更新された第１のリンク情報を取得し、更新された第１のリンク情報が、更新されたリモートユーザー装置と中継ユーザー装置との間のリンク品質が常に所定の閾値より大きいことを指示する場合に、タイマーが満了した後、リモートユーザー装置と目標中継ユーザー装置との間の接続を切断することを含む。
【０１６５】
好ましくは、方法は、さらに、中継ユーザー装置から切り替えプロセスの実行が失敗したことを指示する切り替え指示情報を受信した場合に、中継ユーザー装置が、目標中継ユーザー装置のサービングセルに接続するための無線リンク回復プロセスを実行するように、目標中継ユーザー装置のサービングセルのセル識別子を中継ユーザー装置に送信することを含む。
【０１６６】
好ましくは、方法は、さらに、シーン情報が、中継ユーザー装置が中継選択プロセスを実行しようとする第２のシーンに位置することを指示する場合に、中継ユーザー装置を支援して中継選択プロセスを実行するように、中継再選択プロセスを実行した後に得られる目標中継ユーザー装置の目標中継情報を中継ユーザー装置に送信することを含む。
【０１６７】
好ましくは、無線通信システムは、ロングタームエボリューションアドバンストＬＴＥ−Ａセルラー通信システムであって、前記方法はリモートユーザー装置によって実行される。
【０１６８】
次に、本開示の他の実施例による無線通信システムにおいて無線通信を行うための方法について説明する。まず、リモートユーザー装置と無線通信システムにおけるリモートユーザー装置へ中継サービスを提供する中継ユーザー装置との間のリンク品質を監視する。
【０１６９】
次に、中継ユーザー装置と無線通信システムにおける中継ユーザー装置及びリモートユーザー装置へサービスを提供するサービングセルにおける基地局との間のリンク品質を監視する。
【０１７０】
次に、隣接セル受信電力変化率とサービングセル受信電力変化率を監視する。
【０１７１】
次に、リモートユーザー装置と中継ユーザー装置との間のリンク品質が第１の閾値より大きく、中継ユーザー装置と基地局との間のリンク品質が第２の閾値より小さく、且つ、隣接セル受信電力変化率とサービングセル受信電力変化率との差が第３の閾値より大きい場合に、隣接セル受信信号品質情報を取得し、隣接セル受信信号品質情報に基づいて、リモートユーザー装置に対して、中継再選択を実行する候補目標セルを確定し、候補目標セルのそれぞれにオフセット値を設置し、オフセット値に基づいてリモートユーザー装置の中継再選択プロセスを実行する。
【０１７２】
本開示の実施例による無線通信システムにおいて無線通信を行うための方法の上述した各ステップの各種の具体的な実施形態について、以上詳細に説明したので、ここでは説明を繰り返さない。
【０１７３】
本開示の技術は各種の製品に適用することができる。例えば、本開示において言及された基地局は、例えばマクロｅＮＢや小ｅＮＢなどの任意のタイプの進化ノードＢ（ｅＮＢ）として実現することができる。小ｅＮＢは、例えばピコｅＮＢ、マイクロｅＮＢと家庭（フェムト）ｅＮＢなどのマクロセルより小さいセルをカバーするｅＮＢである。その代わりに、基地局は、例えばＮｏｄｅＢと基地局トランシーバ（ＢＴＳ）のような任意の他のタイプの基地局として実現してもよい。基地局は、無線通信を制御するように配置される主体（基地局装置とも呼ばれる）と、主体と異なるところに設けられる１つ又は複数のリモート無線ヘッド（ＲＲＨ）とを含んでもよい。また、後述する様々なタイプの端末は、基地局機能を一時的又は半永久的に実行することによって、基地局として動作できる。
【０１７４】
例えば、本開示において言及されたＵＥは、携帯端末（例えば、スマートフォン、タブレットパーソナルコンピューター（ＰＣ）、ノートＰＣ、携帯ゲーム端末、ポータブル／ドングルモバイルルーター、及びデジタル撮像装置）又は車載端末（例えば、カーナビゲーション装置）として実現することができる。ＵＥはマシンツーマシン（Ｍ２Ｍ）通信を実行する端末（マシンタイプ通信（ＭＴＣ）端末とも呼ばれる）として実現することもできる。なお、ＵＥは、上記端末のそれぞれに搭載された無線通信モジュール（例えば単一チップを含む集積回路モジュール）であってもよい。
【０１７５】
図１２は、本開示の技術を適用できるｅＮＢの概略構成の第１の例を示すブロック図である。ｅＮＢ１２００は、１つ又は複数のアンテナ１２１０及び基地局装置１２２０を含む。基地局装置１２２０と各アンテナ１２１０はＲＦケーブルを介して互いに接続することができる。
【０１７６】
アンテナ１２１０のそれぞれは単一又は複数のアンテナ素子（例えば多入力多出力（ＭＩＭＯ）アンテナに含まれる複数のアンテナ素子）を含み、基地局装置１２２０の無線信号の送受信に使用される。図１２に示すように、ｅＮＢ１２００は複数のアンテナ１２１０を含んでもよい。例えば、複数のアンテナ１２１０はｅＮＢ１２００に使用される複数の周波数帯域と互換性がありえる。図１２に、ｅＮＢ１２００に複数のアンテナ１２１０が含まれる例を示したが、ｅＮＢ１２００が単一のアンテナ１２１０を含んでもよい。
【０１７７】
基地局装置１２２０は、コントローラ１２２１、メモリ１２２２、ネットワークインターフェース１２２３及び無線通信インターフェース１２２５を含む。
【０１７８】
コントローラ１２２１は、例えばＣＰＵやＤＳＰであって、且つ、基地局装置１２２０の上位層の各種機能を動作させることができる。例えば、コントローラ１２２１は無線通信インターフェース１２２５で処理された信号におけるデータに基づいてデータパケットを生成し、ネットワークインターフェース１２２３を介して、生成したパケットを伝送する。コントローラ１２２１は複数のベースバンドプロセッサからのデータをバンドルして、バンドルパケットを生成し、生成されたバンドルパケットを伝送することができる。コントローラ１２２１は以下のような制御を実行する論理機能を有してもよく、当該制御は例えば、無線リソース制御、無線ベアラ制御、モビリティ管理、受付制御、スケジューリングなどである。当該制御は近くのｅＮＢ又はコアネットワークノードと結合して実行することができる。メモリ１２２２はＲＡＭとＲＯＭを含み、コントローラ１２２１が実行するプログラムや各種制御データ（例えば、端末リスト、送信パワーデータ及びスケジューリングデータ）が記憶される。
【０１７９】
ネットワークインターフェース１２２３は、基地局装置１２２０をコアネットワーク１２２４の通信インターフェースに接続するためのものである。コントローラ１２２１はネットワークインターフェース１２２３を介してコアネットワークノード又は別のｅＮＢと通信することができる。この場合、ｅＮＢ１２００とコアネットワークノード又は他のｅＮＢとは論理インターフェース（例えばＳ１インターフェースとＸ２インターフェース）によって互いに接続することができる。ネットワークインターフェース１２２３は有線通信インターフェース又は無線バックホール回線用の無線通信インターフェースであってもよい。ネットワークインターフェース１２２３が無線通信インターフェースであれば、無線通信インターフェース１２２５によって使用される周波数帯域と比べると、ネットワークインターフェース１２２３はより高い周波数帯域を無線通信に使用することができる。
【０１８０】
無線通信インターフェース１２２５は、任意のセルラー通信方式（例えば、Ｌｏｎｇ  Ｔｅｒｍ  Ｅｖｏｌｕｔｉｏｎ（ＬＴＥ）とＬＴＥ−Ａｄｖａｎｃｅｄ）をサポートし、アンテナ１２１０を介してｅＮＢ１２００に位置するセルにおける端末への無線接続を提供する。無線通信インターフェース１２２５は通常、例えばベースバンド（ＢＢ）プロセッサ１２２６とＲＦ回路１２２７を含むことができる。ＢＢプロセッサ１２２６は例えば、符号化／復号化、変調／復調、多重化／多重化解除を実行するとともに、レイヤー（例えばＬ１、メディアアクセス制御（ＭＡＣ）、無線リンク制御（ＲＬＣ）、パケットデータアグリゲーションプロトコル（ＰＤＣＰ））の各タイプの信号処理を実行することができる。コントローラ１２２１の代わりに、ＢＢプロセッサ１２２６は上記した論理機能の一部又は全部を有してもよい。ＢＢプロセッサ１２２６は通信制御プログラムが記憶されるメモリであってもよく、或いは、プログラムを実行するように配置されるプロセッサと関連回路を含むモジュールであってもよい。プログラムの更新はＢＢプロセッサ１２２６の機能を変更させることができる。当該モジュールは基地局装置１２２０のスロットに挿入されるカードやブレッドであってもよい。その代わりに、当該モジュールはカードやブレッドに搭載されるチップであってもよい。同時に、ＲＦ回路１２２７は、例えばミキサ、フィルタ、アンプを含んで、アンテナ１２１０を介して無線信号を送受信することができる。
【０１８１】
図１２に示すように、無線通信インターフェース１２２５は複数のＢＢプロセッサ１２２６を含むことができる。例えば、複数のＢＢプロセッサ１２２６はｅＮＢ１２００に使用される複数の周波数帯域と互換性がありえる。図１２に示すように、無線通信インターフェース１２２５は複数のＲＦ回路１２２７を含んでもよい。例えば、複数のＲＦ回路１２２７は複数のアンテナ素子と互換性がありえる。図１２に、無線通信インターフェース１２２５が複数のＢＢプロセッサ１２２６と複数のＲＦ回路１２２７を含む例を示したが、無線通信インターフェース１２２５は単一のＢＢプロセッサ１２２６又は単一のＲＦ回路１２２７を含んでもよい。
【０１８２】
図１３は、本開示の技術を適用できるｅＮＢの概略構成の第２の例を示すブロック図である。ｅＮＢ１３３０は１つ又は複数のアンテナ１３４０と、基地局装置１３５０と、ＲＲＨ１３６０とを含む。ＲＲＨ１３６０と各アンテナ１３４０はＲＦケーブルを介して互いに接続することができる。基地局装置１３５０とＲＲＨ１３６０は光ファイバケーブルのような高速回線を介して互いに接続することができる。
【０１８３】
アンテナ１３４０のそれぞれは単一又は複数のアンテナ素子（例えば、ＭＩＭＯアンテナに含まれた複数のアンテナ素子）を含んで、ＲＲＨ１３６０の無線信号の送受信に使用される。図１３に示すように、ｅＮＢ１３３０は複数のアンテナ１３４０を含んでもよい。例えば、複数のアンテナ１３４０はｅＮＢ１３３０によって使用される複数の周波数帯域と互換性がありえる。図１１にｅＮＢ１３３０に複数のアンテナ１３４０が含まれる例を示したが、ｅＮＢ１３３０は単一のアンテナ１３４０を含んでもよい。
【０１８４】
基地局装置１３５０は、コントローラ１３５１と、メモリ１３５２と、ネットワークインターフェース１３５３と、無線通信インターフェース１３５５と、接続インターフェース１３５７とを含む。コントローラ１３５１、メモリ１３５２、ネットワークインターフェース１３５３は図１２を参照して説明したコントローラ１２２１、メモリ１２２２、ネットワークインターフェース１２２３と同様である。
【０１８５】
無線通信インターフェース１３５５は任意のセルラー通信方式（例えばＬＴＥとＬＴＥ−Ａｄｖａｎｃｅｄ）をサポートし、ＲＲＨ１３６０とアンテナ１３４０を介してＲＲＨ１３６０に対応するセクタに位置する端末への無線通信を提供する。無線通信インターフェース１３５５は通常、例えばＢＢプロセッサ１３５６を含んでもよい。ＢＢプロセッサ１３５６は、ＢＢプロセッサ１３５６が接続インターフェース１３５７を介してＲＲＨ１３６０のＲＦ回路１３６４に接続される以外、図１２を参照して説明したＢＢプロセッサ１２２６と同様である。図１３に示すように、無線通信インターフェース１３５５は複数のＢＢプロセッサ１３５６を含んでもよい。例えば、複数のＢＢプロセッサ１３５６はｅＮＢ１３３０に使用される複数の周波数帯域と互換性がありえる。図１３に、無線通信インターフェース１３５５に複数のＢＢプロセッサ１３５６が含まれる例を示したが、無線通信インターフェース１３５５は単一のＢＢプロセッサ１３５６を含んでもよい。
【０１８６】
接続インターフェース１３５７は、基地局装置１３５０（無線通信インターフェース１３５５）をＲＲＨ１３６０に接続するためのインターフェースである。接続インターフェース１３５７は基地局装置１３５０（無線通信インターフェース１３５５）をＲＲＨ１３６０に接続する上述した高速回線における通信用の通信モジュールであってもよい。
【０１８７】
ＲＲＨ１３６０は、接続インターフェース１３６１と無線通信インターフェース１３６３を含む。
【０１８８】
接続インターフェース１３６１は、ＲＲＨ１３６０（無線通信インターフェース１３６３）を基地局装置１３５０に接続するためのインターフェースである。接続インターフェース１３６１は上述した高速回線における通信用の通信モジュールであってもよい。
【０１８９】
無線通信インターフェース１３６３は、アンテナ１３４０を介して無線信号を送受信する。無線通信インターフェース１３６３は通常、例えばＲＦ回路１３６４を含んでもよい。ＲＦ回路１３６４は例えばミキサ、フィルタ、アンプを含んで、アンテナ１３４０を介して無線信号を送受信してもよい。図１３に示すように、無線通信インターフェース１３６３は複数のＲＦ回路１３６４を含んでもよい。例えば、複数のＲＦ回路１３６４は複数のアンテナ素子をサポートすることができる。図１３に無線通信インターフェース１３６３に複数のＲＦ回路１３６４が含まれる例を示すが、無線通信インターフェース１３６３は単一のＲＦ回路１３６４を含んでもよい。
【０１９０】
本発明の実施例による基地局は、図１２に示すｅＮＢ１４００、又は、図１３示すｅＮＢ１３３０によって実現できる。
【０１９１】
図１４は、本開示の技術を適用できるスマートフォン１４００の概略構成の例を示すブロック図である。スマートフォン１４００はプロセッサ１４０１、メモリ１４０２、記憶装置１４０３、外部接続インターフェース１４０４、撮像装置１４０６、センサ１４０７、マイク１４０８、入力装置１４０９、表示装置１４１０、スピーカ１４１１、無線通信インターフェース１４１２、１つ又は複数のアンテナスイッチ１４１５、１つ又は複数のアンテナ１４１６、バス１４１７、電池１４１８及び補助コントローラ１４１９を含む。
【０１９２】
プロセッサ１４０１は、例えばＣＰＵ又はシステムオンチップ（ＳｏＣ）であり、スマートフォン１４００のアプリケーション層と他の層の機能を制御することができる。メモリ１４０２はＲＡＭとＲＯＭを含み、データとプロセッサ１４０１によって実行されるプログラムが記憶される。記憶装置１４０３は例えば半導体メモリとハードディスクのような記憶媒体を含むことができる。外部接続インターフェース１４０４は外部装置（例えばメモリカードとユニバーサルシリアルバス（ＵＳＢ）装置）をスマートフォン１４００に接続するためのインターフェースである。
【０１９３】
撮像装置１４０６はイメージセンサ（例えば電荷結合デバイス（ＣＣＤ）と相補型金属酸化物半導体（ＣＭＯＳ））を含み、キャプチャ画像を生成する。センサ１４０７は例えば測定センサ、ジャイロセンサ、地磁気センサ及び加速度センサのような１組のセンサを含んでもよい。マイク１４０８はスマートフォン１４００に入力された音をオーディオ信号に変換する。入力装置１４０９は例えば表示装置１４１０のスクリーン上のタッチを検出するように構成されるタッチセンサ、キーパッド、キーボード、ボタン又はスイッチを含み、ユーザーから入力された動作又は情報を受信する。表示装置１４１０はスクリーン（例えば液晶ディスプレイ（ＬＣＤ）と有機発光ダイオード（ＯＬＥＤ）ディスプレイ）を含み、スマートフォン１４００の出力画像を表示する。スピーカ１４１１はスマートフォン１４００から出力したオーディオ信号を音に変換する。
【０１９４】
無線通信インターフェース１４１２は、任意のセルラー通信方式（例えば、ＬＴＥとＬＴＥ−Ａｄｖａｎｃｅｄ）をサポートし、無線通信を実行する。無線通信インターフェース１４１２は通常、例えばＢＢプロセッサ１４１３とＲＦ回路１４１４を含むことができる。ＢＢプロセッサ１４１３は例えば、符号化／復号化、変調／復調、多重化／多重化解除を実行するとともに、無線通信のための各種のタイプの信号処理を実行することができる。同時に、ＲＦ回路１４１４は例えばミキサ、フィルタ、アンプを含んで、アンテナ１４１６を介して無線信号を送受信することができる。無線通信インターフェース１４１２はその上にＢＢプロセッサ１４１３とＲＦ回路１４１４が集積化される一つのチップモジュールであってもよい。図１４に示すように、無線通信インターフェース１４１２は複数のＢＢプロセッサ１４１３と複数のＲＦ回路１４１４を含んでもよい。図１４に、無線通信インターフェース１４１２に複数のＢＢプロセッサ１４１３と複数のＲＦ回路１４１４が含まれる例を示したが、無線通信インターフェース１４１２は単一のＢＢプロセッサ１４１３又は単一のＲＦ回路１４１４を含んでもよい。
【０１９５】
なお、セルラー通信方式の以外、無線通信インターフェース１４１２は、例えば短距離無線通信方式、近接通信方式や無線ローカルネットワーク（ＬＡＮ）方式などの別タイプの無線通信方式をサポートすることができる。この場合、無線通信インターフェース１４１２は各無線通信方式に対するＢＢプロセッサ１４１３とＲＦ回路１４１４を含んでもよい。
【０１９６】
アンテナスイッチ１４１５のそれぞれは、無線通信インターフェース１４１２に含まれる複数の回路（例えば異なる無線通信方式に使用される回路）間でアンテナ１４１６の接続先を切り替える。
【０１９７】
アンテナ１４１６のそれぞれは単一又は複数のアンテナ素子（例えばＭＩＭＯアンテナに含まれた複数のアンテナ素子）を含んで、無線通信インターフェース１４１２の無線信号の送受信に使用される。図１４に示すように、スマートフォン１４００は複数のアンテナ１４１６を含んでもよい。図１４に、スマートフォン１４００に複数のアンテナ１４１６が含まれる例を示したが、スマートフォン１４００は単一のアンテナ１４１６を含んでもよい。
【０１９８】
なお、スマートフォン１４００は各無線通信方式に対するアンテナ１４１６を含んでもよい。この場合に、アンテナスイッチ１４１５はスマートフォン１４００の配置から省略されてもよい。
【０１９９】
バス１４１７はプロセッサ１４０１、メモリ１４０２、記憶装置１４０３、外部接続インターフェース１４０４、撮像装置１４０６、センサ１４０７、マイク１４０８、入力装置１４０９、表示装置１４１０、スピーカ１４１１、無線通信インターフェース１４１２及び補助コントローラ１４１９を互いに接続する。電池１４１８は給電線によって図１４に示すスマートフォン１４００の各ブロックに電力を提供し、給電線は図面において部分的に点線によって示される。補助コントローラ１４１９は例えば睡眠モードでスマートフォン１４００の最少の必要な機能を操作する。
【０２００】
図１４に示すスマートフォン１４００では、図２により説明された処理回路２１０及びその中の取得ユニット２１１と確定ユニット２１２、図９により説明された処理回路９１０及びその中の監視ユニット９１１、取得ユニット９１２と中継再選択ユニット９１３は、プロセッサ１４０１又は補助コントローラ１４１９によって実現することができ、さらに、図２により説明された通信ユニット２２０と図９により説明された通信ユニット９２０は無線通信インターフェース１４１２によって実現することができる。機能の少なくとも一部はプロセッサ１４０１又は補助コントローラ１４１９によって実現してもよい。例えば、プロセッサ１４０１又は補助コントローラ１４１９はメモリ１４０２又は記憶装置１４０３に記憶された命令を実行することによって、シーン識別情報の取得、シーン情報の確定、シーン情報の取得及び中継再選択の機能を実行することができる。
【０２０１】
図１５は、本開示の技術を適用できるカーナビゲーション装置１５２０の概略構成の例を示すブロック図である。カーナビゲーション装置１５２０は、プロセッサ１５２１、メモリ１５２２、全球位置決めシステム（ＧＰＳ）モジュール１５２４、センサ１５２５、データインターフェース１５２６、コンテンツプレーヤー１５２７、記憶媒体インターフェース１５２８、入力装置１５２９、表示装置１５３０、スピーカ１５３１、無線通信インターフェース１５３３、１つ又は複数のアンテナスイッチ１５３６、１つ又は複数のアンテナ１５３７及び電池１５３８を含む。
【０２０２】
プロセッサ１５２１は、例えばＣＰＵ又はＳｏＣであって、カーナビゲーション装置１５２０のナビゲーション機能と他の機能を制御することができる。メモリ１５２２はＲＡＭとＲＯＭを含み、データとプロセッサ１５２１によって実行されるプログラムを記憶する。
【０２０３】
ＧＰＳモジュール１５２４は、ＧＰＳ衛星から受信したＧＰＳ信号を使用してカーナビゲーション装置１５２０の位置（例えば、緯度、経度、高度）を測定する。センサ１５２５は例えばジャイロセンサ、地磁気センサ及び気圧センサなどの１組のセンサを含んでもよい。データインターフェース１５２６は図示しない端末を介して例えば車載ネットワーク１５４１に接続し、車両が生成したデータ（例えば、車速データ）を取得する。
【０２０４】
コンテンツプレーヤー１５２７は、記憶媒体（例えば、ＣＤとＤＶＤ）に記憶されたコンテンツを再生して、当該記憶媒体は記憶媒体インターフェース１５２８に挿入される。入力装置１５２９は例えば表示装置１５３０のスクリーン上のタッチを検出するように配置されるタッチセンサ、ボタン又はスイッチを含み、ユーザーから入力された動作又は情報を受信する。表示装置１５３０は例えばＬＣＤやＯＬＥＤディスプレイのスクリーンを含み、ナビゲーション機能の画像又は再生されたコンテンツを表示する。スピーカ１５３１はナビゲーション機能の音又は再生されたコンテンツを出力する。
【０２０５】
無線通信インターフェース１５３３は任意のセルラー通信方式（例えば、ＬＴＥとＬＴＥ−Ａｄｖａｎｃｅｄ）をサポートし、無線通信を実行することができる。無線通信インターフェース１５３３は通常、例えばＢＢプロセッサ１５３４とＲＦ回路１５３５を含むことができる。ＢＢプロセッサ１５３４は、例えば符号化／復号化、変調／復調、及び多重化／多重化解除を実行するとともに、無線通信に使用される各種のタイプの信号処理を実行することができる。同時に、ＲＦ回路１５３５は例えばミキサ、フィルタ、アンプを含んで、アンテナ１５３７を介して無線信号を送受信することができる。無線通信インターフェース１５３３はその上にＢＢプロセッサ１５３４とＲＦ回路１５３５が集積化される一つのチップモジュールであってもよい。図１５に示すように、無線通信インターフェース１５３３は複数のＢＢプロセッサ１５３４と複数のＲＦ回路１５３５を含んでもよい。図１５に、無線通信インターフェース１５３３に複数のＢＢプロセッサ１５３４と複数のＲＦ回路１５３５が含まれた例を示したが、無線通信インターフェース１５３３は単一のＢＢプロセッサ１５３４又は単一のＲＦ回路１５３５を含んでもよい。
【０２０６】
なお、セルラー通信方式の以外、無線通信インターフェース１５３３は、例えば短距離無線通信方式、近接通信方式と無線ＬＡＮ方式などの別タイプの無線通信方式をサポートすることができる。この場合、無線通信インターフェース１５３３は各無線通信方式に対するＢＢプロセッサ１５３４とＲＦ回路１５３５を含んでもよい。
【０２０７】
アンテナスイッチ１５３６のそれぞれは無線通信インターフェース１５３３に含まれる複数の回路（例えば異なる無線通信方式に使用される回路）間でアンテナ１５３７の接続先を切り替える。
【０２０８】
アンテナ１５３７のそれぞれは単一又は複数のアンテナ素子（例えばＭＩＭＯアンテナに含まれる複数のアンテナ素子）を含み、無線通信インターフェース１５３３の無線信号の送受信に使用される。図１５に示すように、カーナビゲーション装置１５２０は複数のアンテナ１５３７を含んでもよい。図１５に、カーナビゲーション装置１５２０に複数のアンテナ１５３７が含まれる例を示したが、カーナビゲーション装置１５２０は単一のアンテナ１５３７を含んでもよい。
【０２０９】
なお、カーナビゲーション装置１５２０は各無線通信方式に対するアンテナ１５３７を含んでもよい。この場合、アンテナスイッチ１５３６はカーナビゲーション装置１５２０の配置から省略されてもよい。
【０２１０】
電池１５３８は、給電線によって図１５に示すカーナビゲーション装置１５２０の各ブロックに電力を提供し、給電線は図面において部分的に点線によって示される。電池１５３８は車両から提供した電力を蓄積する。
【０２１１】
図１５に示すカーナビゲーション装置１５２０では、図２により説明された処理回路２１０及びその中の取得ユニット２１１と確定ユニット２１２、及び図９により説明された処理回路９１０及びその中の取得ユニット９１１と中継再選択ユニット９１２はプロセッサ１５２１によって実現することができ、また、図２により説明された通信部２２０と図９により説明された通信部９２０は無線通信インターフェース１５３３によって実現することができる。機能の少なくとも一部はプロセッサ１５２１によって実現することができる。例えば、プロセッサ１５２１はメモリ１５２２に記憶された命令を実行することによって、シーン識別情報の取得、シーン情報の確定、シーン情報の取得及び中継再選択の機能を実行することができる。
【０２１２】
本開示の技術はカーナビゲーション装置１５２０、車載ネットワーク１５４１及び車両モジュール１５４２のうち１つ又は複数のブロックが含まれた車載システム（又は車両）１５４０として実現することができる。車両モジュール１５４２は車両データ（例えば車速、エンジン速度、故障情報）を生成して、生成されたデータを車載ネットワーク１５４１に出力する。
【０２１３】
本開示のシステムと方法では、各構成要素又は各ステップが分解及び／又は再結合することができることは明らかである。これらの分解及び／又は再結合は本開示の均等の方案とみなすべきである。さらに、上記した一連の処理を実行するステップは当然、説明の順序に沿って時系列に実行することができるが、必ずしも時系列に実行される必要はない。いくつかのステップは並行的又は互いに独立に実行されてもよい。
【０２１４】
以上、本開示の実施例について図面を参照して詳細に説明したが、上記した実施形態は本開示を説明するためのものであり、本開示を限定するものではないと理解すべきである。当業者にとって、本開示の精神および範囲から逸脱することがなく、上記した実施形態に対して、様々な修正及び変更が可能である。そのため、本開示の範囲は添付した特許請求の範囲及びその等価物のみによって限定される。
【図１（ａ）】
2018533311.tif 000007
【図１（ｂ）】
2018533311.tif 000008
【図２】
2018533311.tif 000009
【図３】
2018533311.tif 000010
【図４】
2018533311.tif 000011
【図５】
2018533311.tif 000012
【図６】
2018533311.tif 000013
【図７】
2018533311.tif 000014
【図８】
2018533311.tif 000015
【図９】
2018533311.tif 000016
【図１０】
2018533311.tif 000017
【図１１】
2018533311.tif 000018
【図１２】
2018533311.tif 000019
【図１３】
2018533311.tif 000020
【図１４】
2018533311.tif 000021
【図１５】
2018533311.tif 000022
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
無線通信システムにおける電子装置であって、
１つ又は複数の処理回路を含み、
前記処理回路は、
前記電子装置と前記無線通信システムにおけるユーザー装置との間のリンク品質を示す第１のリンク情報、前記電子装置と前記無線通信システムにおける前記電子装置へサービスを提供するサービングセルにおける基地局との間のリンク品質を示す第２のリンク情報、サービングセル受信電力変化率情報及び隣接セル受信電力変化率情報が含まれるシーン識別情報を取得し、
前記電子装置が位置するシーンに関するシーン情報を前記シーン識別情報に基づいて確定して前記ユーザー装置に通知し、前記ユーザー装置を支援して中継再選択プロセスを実行するか、又は、前記電子装置を支援して中継選択プロセスを実行する、という動作を実行するように配置されている電子装置。
【請求項２】
前記処理回路は、前記第２のリンク情報が前記電子装置と前記基地局との間のリンク品質が第２の閾値よりも小さいことを指示する場合に、中継再選択トリガー情報を生成して、前記中継再選択プロセスを実行することを前記ユーザー装置に通知する請求項１に記載の電子装置。
【請求項３】
前記処理回路は、前記第１のリンク情報が前記電子装置と前記ユーザー装置との間のリンク品質が第１の閾値より大きいことを指示し、前記第２のリンク情報が前記電子装置と前記基地局との間のリンク品質が第２の閾値より小さいことを指示し、且つ、前記隣接セル受信電力変化率情報が指示する隣接セル受信電力変化率と前記サービングセル受信電力変化率情報が指示するサービングセル受信電力変化率との差が第３の閾値より大きい場合に、前記電子装置が切り替えプロセスを実行しようとしていることを確定する請求項１に記載の電子装置。
【請求項４】
前記処理回路は、さらに、
実行されているＡ３イベントのトリガー時間ＴＴＴの長さを示すＴＴＴ長さ情報、又は、隣接セル受信信号品質情報を取得し、
前記ＴＴＴ長さ情報又は前記隣接セル受信信号品質情報に基づいて、前記ユーザー装置に対して候補目標セルを確定し、
前記候補目標セルのそれぞれにオフセット値を設置して、前記ユーザー装置を支援して前記候補目標セルから前記ユーザー装置へサービスを提供する最終的な目標セルを選択する、
という動作を実行するように配置されている請求項３に記載の電子装置。
【請求項５】
前記ＴＴＴ長さ情報又は前記隣接セル受信信号品質情報に基づいて、候補目標セルのオフセット値を設置する請求項４に記載の電子装置。
【請求項６】
前記第２のリンク情報が前記電子装置と前記基地局との間のリンク品質が第２の閾値より小さいことを指示する場合に、前記処理回路は、さらに、
前記電子装置の速度調整係数を取得して、前記ユーザー装置のヒステリシスパラメータを調整することを前記ユーザー装置に通知するという動作を実行するように配置されている請求項１に記載の電子装置。
【請求項７】
前記処理回路は、さらに、
前記切り替えプロセスを実行し、
前記切り替えプロセスの実行結果を示す切り替え指示情報を生成して、最終的な中継リンク接続を選択することを前記ユーザー装置に通知する、
という動作を実行するように配置されている請求項３に記載の電子装置。
【請求項８】
前記切り替え指示情報が前記切り替えプロセスの実行が失敗したことを指示する場合に、前記処理回路は、さらに、
前記中継再選択プロセスを実行した後、前記ユーザー装置へサービスを提供する最終的な目標セルのセル識別子を取得し、
前記最終的な目標セルが実行されているＡ３イベントを既に引き起こしたトリガー時間ＴＴＴを確定して、前記切り替えプロセスが失敗したこと及び前記最終的な目標セルのセル識別子を前記基地局に通知し、
前記最終的な目標セルが引き起こした実行されているＡ３イベントのトリガー時間ＴＴＴが満了する時に、前記電子装置が前記最終的な目標セルに接続されるように、無線リンク回復プロセスを実行する、
という動作を実行するように配置されている請求項７に記載の電子装置。
【請求項９】
前記処理回路は、前記第１のリンク情報が前記電子装置と前記ユーザー装置との間のリンク品質が第１の閾値より大きいことを指示し、前記第２のリンク情報が前記電子装置と前記基地局との間のリンク品質が第２の閾値より小さいことを指示し、且つ、前記隣接セル受信電力変化率情報が指示する隣接セル受信電力変化率と前記サービングセル受信電力変化率情報が指示するサービングセル受信電力変化率との差が第３の閾値より小さい場合に、前記電子装置が中継選択プロセスを実行しようとしていることを確定する請求項１に記載の電子装置。
【請求項１０】
前記処理回路は、さらに、
前記ユーザー装置が前記中継再選択プロセスを実行した後に得られる目標中継ユーザー装置に関する目標中継情報を取得し、
前記中継選択プロセスを実行する、という動作を実行するように配置され、
前記中継選択プロセスを実行する際に、前記処理回路は、さらに、
前記目標中継情報が指示する前記目標中継ユーザー装置の発見メッセージを優先的に傍受し、
前記目標中継ユーザー装置と前記電子装置との間のリンク品質が所定の閾値より大きいことを確定し、
前記目標中継ユーザー装置と前記電子装置との間の中継接続を確立する、
という動作を実行するように配置されている請求項９に記載の電子装置。
【請求項１１】
前記目標中継ユーザー装置と前記電子装置との間のリンク品質が所定の閾値より大きいことを確定する前に、前記処理回路は、さらに、
前記目標中継情報が指示する前記目標中継ユーザー装置の負荷率が所定の数より小さいことを確定し、前記負荷率が前記目標中継ユーザー装置に現在アクセスしているリモートユーザー装置の数を示す、
という動作を実行するように配置されている請求項１０に記載の電子装置。
【請求項１２】
無線通信システムにおける電子装置であって、
１つ又は複数の処理回路を含み、
前記処理回路は、
前記電子装置と前記無線通信システムにおける前記電子装置へ中継サービスを提供する中継ユーザー装置との間のリンク品質を監視し、
前記中継ユーザー装置が位置するシーンに関するシーン情報を取得し、
前記シーン情報に基づいて中継再選択プロセスを実行する、
という動作を実行するように配置されている電子装置。
【請求項１３】
シーン識別情報に基づいて前記シーン情報を確定し、前記シーン識別情報は、前記電子装置と前記中継ユーザー装置との間のリンク品質を示す第１のリンク情報、前記中継ユーザー装置と前記無線通信システムにおける前記電子装置へサービスを提供するサービングセルにおける基地局との間のリンク品質を示す第２のリンク情報、前記中継ユーザー装置が受信したサービングセル受信電力変化率情報及び隣接セル受信電力変化率情報を含む請求項１２に記載の電子装置。
【請求項１４】
前記シーン情報が前記中継ユーザー装置が切り替えプロセスを実行しようとしていることを指示する場合に、前記処理回路は、さらに、
候補目標セルのセル識別子と前記候補目標セルのそれぞれに設置したオフセット値を取得し、
前記オフセット値に基づいて前記候補目標セルから目標中継ユーザー装置を確定する、
という動作を実行するように配置されている請求項１２に記載の電子装置。
【請求項１５】
前記処理回路は、さらに、
前記オフセット値の大きさに従って前記候補目標セルの優先度を設置し、
前記候補目標セルの優先度に従って、前記目標中継ユーザー装置を確定するまでに、前記候補目標セルにおける候補目標中継ユーザー装置に対して前記中継再選択プロセスを実行する、
という動作を実行するように配置されている請求項１４に記載の電子装置。
【請求項１６】
前記中継再選択プロセスを実行する際に、前記処理回路は、さらに、
前記電子装置と前記候補目標セルにおける候補目標中継ユーザー装置との間のリンク品質を示すリンク品質値を取得し、
前記候補目標セルに対応するオフセット値を前記候補目標セルにおける候補目標中継ユーザー装置に対応するリンク品質値に加えて、調整リンク品質値を取得し、
前記調整リンク品質値に基づいて前記中継再選択プロセスを実行する、
という動作を実行するように配置されている請求項１４に記載の電子装置。
【請求項１７】
前記処理回路は、さらに、
前記中継ユーザー装置の速度調整係数を取得し、
前記速度調整係数に基づいてヒステリシスパラメータを調整する、
という動作を実行するように配置されている請求項１２に記載の電子装置。
【請求項１８】
前記電子装置が前記目標中継ユーザー装置と接続を確立した時にタイミングを開始するように配置されているタイマーをさらに含み、
前記処理回路は、さらに、
前記タイマーが満了する時に、前記電子装置と前記目標中継ユーザー装置との間の接続又は前記電子装置と前記中継ユーザー装置との間の接続を切断するための命令を生成する、
という動作を実行するように配置されている請求項１４に記載の電子装置。
【請求項１９】
送受信機が前記中継ユーザー装置から前記切り替えプロセスの実行が成功したことを指示する切り替え指示情報を受信した場合に、前記処理回路はさらに、
前記中継ユーザー装置の目標セルのセル識別子を取得し、
前記中継ユーザー装置の目標セル的セル識別子と前記目標中継ユーザー装置のサービングセルのセル識別子を比較し、
比較の結果が異なる場合に、前記電子装置と前記中継ユーザー装置との間の接続を直ちに切断し、
比較の結果が同じである場合に、前記タイマーが満了する前の期間に、
更新された第１のリンク情報を取得し、
更新された第１のリンク情報が、更新された前記電子装置と前記中継ユーザー装置との間のリンク品質が常に所定の閾値より大きいことを指示する場合に、前記タイマーが満了した後前記電子装置と前記目標中継ユーザー装置との間の接続を切断する、
という動作を実行するように配置されている請求項１８に記載の電子装置。
【請求項２０】
送受信機が前記中継ユーザー装置から前記切り替えプロセスの実行が失敗したことを指示する切り替え指示情報を受信した場合に、前記処理回路は、さらに、
前記中継ユーザー装置が、前記目標中継ユーザー装置のサービングセルに接続するための無線リンク回復プロセスを実行するように、前記目標中継ユーザー装置のサービングセルのセル識別子を前記中継ユーザー装置に送信することを前記送受信機に指示する、
という動作を実行するように配置されている請求項１８に記載の電子装置。
【請求項２１】
前記シーン情報が、前記中継ユーザー装置が中継選択プロセスを実行しようとしていることを指示する場合に、前記処理回路は、さらに、
前記中継ユーザー装置を支援して前記中継選択プロセスを実行するように、前記中継再選択プロセスを実行した後に得られる目標中継ユーザー装置の目標中継情報を前記中継ユーザー装置に送信することを送受信機に指示する、
という動作を実行するように配置されている請求項１２に記載の電子装置。
【請求項２２】
無線通信システムにおいて無線通信を行うための方法であって、
前記無線通信システムにおける中継ユーザー装置と前記無線通信システムにおけるリモートユーザー装置との間のリンク品質を示す第１のリンク情報、前記中継ユーザー装置と前記無線通信システムにおける前記中継ユーザー装置へサービスを提供するサービングセルにおける基地局との間のリンク品質を示す第２のリンク情報、サービングセル受信電力変化率情報及び隣接セル受信電力変化率情報が含まれるシーン識別情報を取得し、
前記中継ユーザー装置が位置するシーンに関するシーン情報を前記シーン識別情報に基づいて確定して前記リモートユーザー装置に通知し、前記リモートユーザー装置を支援して中継再選択プロセスを実行するか、又は、前記中継ユーザー装置を支援して中継選択プロセスを実行する、
ことを含む方法。
【請求項２３】
無線通信システムにおいて無線通信を行うための方法であって、
リモートユーザー装置と前記無線通信システムにおける前記リモートユーザー装置へ中継サービスを提供する中継ユーザー装置との間のリンク品質を監視し、
前記中継ユーザー装置が位置するシーンに関するシーン情報を取得し、
前記シーン情報に基づいて中継再選択プロセスを実行する、
ことを含む方法。
【国際調査報告】
2018533311.tif 000023
2018533311.tif 000024
2018533311.tif 000025
2018533311.tif 000026
2018533311.tif 000027
2018533311.tif 000028